(57)【要約】【課題】下りリンクのシステム帯域および上りリンクのシステム帯域から、下りリンクのキャリア要素および上りリンクのキャリア要素を容易に構成するとともに、構成した下りリンクのキャリア要素および上りリンクのキャリア要素を利用して、効率的な通信を実現する。【解決手段】基地局装置と移動局装置とから構成される移動通信システムであって、下りリンクのシステム帯域を基本周波数で分割して複数の下りリンクのキャリア要素を構成し、上りリンクのシステム帯域を基本周波数で分割して複数の上りリンクのキャリア要素を構成し、前記基地局装置および前記移動局装置は、前記下りリンクのキャリア要素と前記上りリンクのキャリア要素とを相互に対応させて通信を行なう。【選択図】図４
2010109488.tif 000002
【特許請求の範囲】
【請求項１】
基地局装置と移動局装置とから構成される移動通信システムであって、
下りリンクのシステム帯域を基本周波数で分割して複数の下りリンクのキャリア要素を構成し、
上りリンクのシステム帯域を基本周波数で分割して複数の上りリンクのキャリア要素を構成し、
前記基地局装置および前記移動局装置は、前記下りリンクのキャリア要素と前記上りリンクのキャリア要素とを相互に対応させて通信を行なうことを特徴とする移動通信システム。
【請求項２】
基地局装置と移動局装置とから構成される移動通信システムであって、
下りリンクのシステム帯域を基本周波数で分割して複数の下りリンクのキャリア要素を構成し、
上りリンクのシステム帯域を基本周波数で分割して複数の上りリンクキャリア要素を構成し、
前記下りリンクのキャリア要素の数と前記上りリンクのキャリア要素の数との比に基づいて、複数の下りリンクのキャリア要素を含む下りリンクのキャリア要素グループを構成し、
前記基地局装置および前記移動局装置は、前記下りリンクのキャリア要素グループと前記上りリンクのキャリア要素とを相互に対応させて通信を行なうことを特徴とする移動通信システム。
【請求項３】
基地局装置と移動局装置とから構成される移動通信システムであって、
下りリンクのシステム帯域を基本周波数で分割して複数の下りリンクのキャリア要素を構成し、
上りリンクのシステム帯域を基本周波数で分割して複数の上りリンクキャリア要素を構成し、
前記上りリンクのキャリア要素の数と前記下りリンクのキャリア要素の数との比に基づいて、複数の上りリンクのキャリア要素を含む上りリンクのキャリア要素グループを構成し、
前記基地局装置および前記移動局装置は、前記下りリンクのキャリア要素と前記上りリンクのキャリア要素グループとを相互に対応させて通信を行なうことを特徴とする移動通信システム。
【請求項４】
前記基地局装置は、前記基本周波数を、報知チャネルを使用してセル固有に前記移動局装置に設定することを特徴とする請求項１から請求項３のいずれかに記載の移動通信システム。
【請求項５】
前記基地局装置は、前記基本周波数を、無線資源制御信号を使用して移動局装置固有に前記移動局装置に設定することを特徴とする請求項１から請求項３のいずれかに記載の移動通信システム。
【請求項６】
前記基本周波数に相当する帯域幅を有する下りリンクのキャリア要素の数と、前記基本周波数に相当する帯域幅を有する上りリンクのキャリア要素の数とが等しく、
下りリンクのシステム帯域に前記基本周波数に満たない帯域幅を有する下りリンクのキャリア要素が存在し、
上りリンクのシステム帯域に前記基本周波数に満たない帯域幅を有する上りリンクのキャリア要素が存在する場合、
前記基地局装置および前記移動局装置は、前記基本周波数に満たない帯域幅を有する下りリンクのキャリア要素と前記基本周波数に満たない帯域幅を有する上りリンクのキャリア要素とを相互に対応させて通信を行なうことを特徴とする請求項１から請求項３のいずれかに記載の移動通信システム。
【請求項７】
前記基本周波数に相当する帯域幅を有する下りリンクのキャリア要素の数が、前記基本周波数に相当する帯域幅を有する上りリンクのキャリア要素の数よりも大きく、
上りリンクのシステム帯域に前記基本周波数に満たない帯域幅を有する上りリンクのキャリア要素が存在する場合、
前記基地局装置および前記移動局装置は、前記下りリンクのキャリア要素と前記基本周波数に満たない帯域幅を有する上りリンクのキャリア要素とを相互に対応させて通信を行なうことを特徴とする請求項１から請求項３のいずれかに記載の移動通信システム。
【請求項８】
前記基本周波数に相当する帯域幅を有する下りリンクのキャリア要素の数が、前記基本周波数に相当する帯域幅を有する上りリンクのキャリア要素の数よりも大きく、
下りリンクのシステム帯域に前記基本周波数に満たない帯域幅を有する下りリンクのキャリア要素が存在する場合、
前記基本周波数に満たない帯域幅を有する下りリンクのキャリア要素を、隣接する下りリンクのキャリア要素と連結して下りリンクのキャリア要素グループを構成し、
前記基地局装置および前記移動局装置は、前記構成した下りリンクのキャリア要素グループと前記上りリンクのキャリア要素とを相互に対応させて通信を行なうことを特徴とする請求項１から請求項３のいずれかに記載の移動通信システム。
【請求項９】
前記基本周波数に相当する帯域幅を有する下りリンクのキャリア要素の数が、前記基本周波数に相当する帯域幅を有する上りリンクのキャリア要素の数よりも大きく、
下りリンクのシステム帯域に前記基本周波数に満たない帯域幅を有する下りリンクのキャリア要素が含まれる場合、
前記基本周波数に満たない下りリンクのキャリア要素を、隣接する下りリンクのキャリア要素が含まれる下りリンクのキャリア要素グループと連結して下りリンクのキャリア要素グループを構成し、
前記基地局装置および前記移動局装置は、前記構成した下りリンクのキャリア要素グループと前記上りリンクのキャリア要素とを相互に対応させて通信を行なうことを特徴とする請求項１から請求項３のいずれかに記載の移動通信システム。
【請求項１０】
前記基本周波数に相当する帯域幅を有する上りリンクのキャリア要素の数が、前記基本周波数に相当する帯域幅を有する下りリンクのキャリア要素の数よりも大きく、
下りリンクのシステム帯域に前記基本周波数に満たない帯域幅を有する下りリンクのキャリア要素が含まれる場合、
前記基地局装置および前記移動局装置は、前記上りリンクのキャリア要素と前記基本周波数に満たない帯域幅を有する下りリンクのキャリア要素とを相互に対応させて通信を行なうことを特徴とする請求項１から請求項３のいずれかに記載の移動通信システム。
【請求項１１】
前記基本周波数に相当する帯域幅を有する上りリンクのキャリア要素の数が、前記基本周波数に相当する帯域幅を有する下りリンクのキャリア要素の数よりも大きく、
上りリンクのシステム帯域に前記基本周波数に満たない帯域幅を有する上りリンクのキャリア要素が含まれる場合、
前記基本周波数に満たない帯域幅を有する上りリンクのキャリア要素を、隣接する上りリンクのキャリア要素と連結して上りリンクのキャリア要素グループを構成し、
前記基地局装置および前記移動局装置は、前記構成した上りリンクのキャリア要素グループと前記下りリンクのキャリア要素を相互に対応させて通信を行なうことを特徴とする請求項１から請求項３のいずれかに記載の移動通信システム。
【請求項１２】
前記基本周波数に相当する帯域幅を有する上りリンクのキャリア要素の数が、前記基本周波数に相当する帯域幅を有する下りリンクのキャリア要素の数よりも大きく、
上りリンクのシステム帯域に前記基本周波数に満たない帯域幅を有する上りリンクのキャリア要素が含まれる場合、
前記基本周波数に満たない帯域幅を有する上りリンクのキャリア要素を、隣接する上りリンクのキャリア要素が含まれる上りリンクのキャリア要素グループと連結して上りリンクのキャリア要素グループを構成し、
前記基地局装置および前記移動局装置は、前記下りリンクのキャリア要素と前記構成した上りリンクのキャリア要素グループとを相互に対応させて通信を行なうことを特徴とする請求項１から請求項３のいずれかに記載の移動通信システム。
【請求項１３】
前記上りリンクのキャリア要素グループに含まれる上りリンクのキャリア要素で送信できる上りリンクの情報を制限することを特徴とする請求項１０記載の移動通信システム。
【請求項１４】
前記上りリンクのキャリア要素グループに含まれる上りリンクのキャリア要素に配置された上りリンクのチャネルを使用できる移動局装置を制限することを特徴とする請求項１０記載の移動通信システム。
【請求項１５】
移動通信システムに適用される基地局装置であって、
下りリンクのシステム帯域および上りリンクのシステム帯域から下りリンクのキャリア要素および上りリンクのキャリア要素を構成するための基本周波数を移動局装置に送信し、
下りリンクのシステム帯域を前記基本周波数で分割して複数の下りリンクのキャリア要素を構成し、
上りリンクのシステム帯域を前記基本周波数で分割して複数の上りリンクのキャリア要素を構成し、
前記下りリンクのキャリア要素と前記上りリンクのキャリア要素とを相互に対応させて、移動局装置と通信を行なうことを特徴とする基地局装置。
【請求項１６】
移動通信システムに適用される移動局装置であって、
下りリンクのシステム帯域および上りリンクのシステム帯域から下りリンクのキャリア要素および上りリンクのキャリア要素を構成するための基本周波数を基地局装置から受信し、
下りリンクのシステム帯域を前記基本周波数で分割して複数の下りリンクのキャリア要素を構成し、
上りリンクのシステム帯域を前記基本周波数で分割して複数の上りリンクのキャリア要素を構成し、
前記下りリンクのキャリア要素と前記上りリンクのキャリア要素とを相互に対応させて、基地局装置と通信を行なうことを特徴とする移動局装置。
【発明の詳細な説明】
【技術分野】
【０００１】
本発明は、上りリンクのキャリア要素またはキャリア要素グループと、下りリンクのキャリア要素またはキャリア要素グループとを対応させることによって通信を行なう移動通信システム、基地局装置および移動局装置に関する。
【背景技術】
【０００２】
３ＧＰＰ（3rd Generation Partnership Project）は、Ｗ−ＣＤＭＡ（Wideband-Code Division Multiple Access）と、ＧＳＭ（Global System for Mobile Communications）とを発展させたネットワークを基本した移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。
【０００３】
３ＧＰＰでは、第３世代無線アクセス技術の進化（以下、「ＬＴＥ（Long Term Evolution）」、若しくは、「ＥＵＴＲＡ（Evolved Universal Terrestrial Radio Access）」と呼称する。）、および、より広帯域なシステム帯域を利用して、さらに高速なデータの送受信を実現する移動通信システム（以下、「ＬＴＥ−Ａ（Long Term Evolution-Advanced）」、若しくは、「Ａｄｖａｎｃｅｄ−ＥＵＴＲＡ」と呼称する。）に関する検討が進められている。
【０００４】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００５】
一方、ＬＴＥ−Ａにおける通信方式としては、下りリンクでは、ＯＦＤＭＡ方式が、上りリンクでは、シングルキャリア通信方式であるＳＣ−ＦＤＭＡ方式に加えて、マルチキャリア通信方式であるＯＦＤＭＡ方式、さらに、Ｃｌｕｓｔｅｒｅｄ−ＳＣ−ＦＤＭＡ（「Clustered-Single Carrier-Frequency Division Multiple Access」、「DFT-s-OFDM with Spectrum Division Control」とも呼称する。）方式を導入することが提案されている。ここで、ＬＴＥおよびＬＴＥ−Ａにおいて、上りリンクの通信方式として提案されているＳＣ−ＦＤＭＡ方式は、データを送信する際のＰＡＰＲ（Peak to Average Power Ratio、ピーク電力対平均電力比）を低く抑えることができるという特徴を持っている。
【０００６】
また、ＬＴＥ−Ａでは、一般的な移動通信システムで使用する周波数帯域は連続であるのに対し、連続／不連続な複数の周波数帯域（以下、「キャリア要素（Carrier Component）」、または、「コンポーネントキャリア（Component Carrier）」と呼称する。）を複合的に使用して、１つのシステム帯域（広帯域なシステム帯域）として運用する（周波数帯域集約：Spectrum aggregation、Carrier aggregation、Frequency aggregationなどとも呼称する。）ことが提案されている。また、基地局装置および移動局装置がシステム帯域をより柔軟に使用して通信を行なうために、下りリンクの通信に使用する周波数帯域と上りリンクの通信に使用する周波数帯域を、異なる周波数帯域幅とすることも提案されている（非特許文献１、非特許文献２）。
【非特許文献１】"Proposals for LTE-Advanced Technologies", 3GPP TSG RAN WG1 Meeting #53-bis, R1-082575, June 30-July 4, 2008.
【非特許文献２】"Carrier aggregation in LTE-Advanced", 3GPP TSG RAN WG1 Meeting #53-bis, R1-082468, June 30-July 4, 2008.
【発明の開示】
【発明が解決しようとする課題】
【０００７】
しかしながら、従来の技術では、基地局装置と移動局装置が連続／不連続な複数の周波数帯域（キャリア要素）を複合的に用いて広帯域なシステム帯域（例えば、１００ＭＨｚの帯域幅を持ったシステム帯域）として運用する際に、下りリンクのシステム帯域および上りリンクのシステム帯域から、（例えば、それぞれ２０ＭＨｚの帯域幅を持った）下りリンクのキャリア要素および上りリンクのキャリア要素をどのように構成して通信を行なうのかが明確化されていなかった。
【０００８】
すなわち、基地局装置と移動局装置は、広帯域な周波数帯域を使用して通信を行なう際に、下りリンクのキャリア要素および上りリンクのキャリア要素を具体的にどのように認識し、下りリンクのシステム帯域および上りリンクのシステム帯域から、下りリンクのキャリア要素および上りリンクのキャリア要素を、どのように構成し、それらを複合的に用いて広帯域なシステム帯域として運用するのかが分からなかった。
【０００９】
例えば、基地局装置と移動局装置が、それぞれ１００ＭＨｚの帯域幅を持った下りリンクのシステム帯域幅および上りリンクのシステム帯域幅から、下りリンクのキャリア要素および上りリンクのキャリア要素を構成する際に、下りリンクと上りリンクの関係を考えずにそれぞれのキャリア要素を構成しては、非常にアンバランスで、複雑な移動通信システムが構成されてしまう。
【００１０】
例えば、基地局装置と移動局装置が、１００ＭＨｚの帯域幅を持った下りリンクのシステム帯域を１０個に分割して１０ＭＨｚの帯域幅を持った下りリンクのキャリア要素を１０個構成し、同様に、１００ＭＨｚの帯域幅を持った上りリンクのシステム帯域を２個に分割して５０ＭＨｚの帯域幅を持った上りリンクのキャリア要素を２個構成したのでは、下りリンクのキャリア要素と上りリンクのキャリア要素を複合的に用いて広帯域なシステム帯域として運用する際に、アンバランスで、複雑な移動通信システムが構成されてしまう。
【００１１】
このような移動通信システムでは、例えば、基地局装置が、１０ＭＨｚの帯域幅を持った下りリンクの１０個のキャリア要素を使用して、同一サブフレームで（同時に）、１０個の情報を移動局装置に送信し、この信号を受信した移動局装置が、５０ＭＨｚの帯域幅を持った上りリンクの２個のキャリア要素を使用して、同一サブフレームで（同時に）、２個の情報を基地局装置に送信することが可能となるが、下りリンクで送信される情報の数（１０個）と上りリンクで送信される情報の数（２個）との関係や、下りリンクのキャリア要素それぞれで送信できる情報の量（１０ＭＨｚの帯域幅を使用して送信できる情報量）と上りリンクのキャリア要素それぞれで送信できる情報の量（５０ＭＨｚの帯域幅を使用して送信できる情報量）との関係が大きく異なり、下りリンクでの送信と上りリンクでの送信とが、アンバランスで、複雑な移動通信システムが構成される。
【００１２】
また、例えば、基地局装置と移動局装置が、１００ＭＨｚの帯域幅を持った下りリンクのシステム帯域を２個に分割して５０ＭＨｚの帯域幅を持った下りリンクのキャリア要素を２個構成し、同様に１００ＭＨｚの帯域幅を持った上りリンクのシステム帯域を１０個に分割して１００ＭＨｚの帯域幅を持った上りリンクのキャリア要素を１０個構成したのでは、下りリンクのキャリア要素と上りリンクのキャリア要素を複合的に用いて、広帯域なシステム帯域として運用する際に、基地局装置から送信される制御信号（制御情報）が増加してしまうという問題も発生する。
【００１３】
このような移動通信システムでは、例えば、基地局装置が、５０ＭＨｚの帯域幅を持った下りリンクの２個のキャリア要素を使用して、制御情報を送信する際に、下りリンクの２個のキャリア要素で送信される情報（例えば、下りユーザーデータ）に対応して、移動局装置が、上りリンクのどのキャリア要素を使用して情報（例えば、下りユーザーデータに対応するＨＡＲＱのＡＣＫ／ＮＡＣＫ）を送信するのかを指示する必要がある。すなわち、基地局装置は、１０ＭＨｚの帯域幅を持った上りリンクの１０個のキャリア要素の中から、移動局装置が、上りリンクの情報を送信すべき上りリンクのキャリア要素を指示するための制御信号（制御情報）を送信しなければならない。これにより、基地局装置から移動局装置に下りリンクを使用して送信される制御信号（制御情報）が増加してしまう。
【００１４】
すなわち、従来の技術では、基地局装置と移動局装置が、下りリンクのキャリア要素および上りリンクのキャリア要素を複合的に使用して、広帯域なシステム帯域として運用し通信を行なう際に、下りリンクのキャリア要素および上りリンクのキャリア要素を具体的にどのように認識し、下りリンクのシステム帯域幅および上りリンクのシステム帯域幅から、下りリンクのキャリア要素および上りリンクのキャリア要素をどのように構成するのかが分からなかったために、下りリンクでの送信と上りリンクでの送信とが、アンバランスで、複雑な移動通信システムが構成されるという問題があった。
【００１５】
また、基地局装置が送信する下りリンクの情報（例えば、下りユーザーデータ）に対応した上りリンクの情報（例えば、下りユーザーデータに対応したＨＡＲＱのＡＣＫ／ＮＡＣＫ）を、移動局装置が、どの上りリンクのキャリア要素を使用して送信するのかを指示するための制御信号（制御情報）が増加し、無線リソースを効率的に使用できない移動通信システムが構成されるという問題があった。
【００１６】
本発明は、このような事情に鑑みてなされたものであり、基地局装置と移動局装置が、下りリンクのキャリア要素および上りリンクのキャリア要素を複合的に使用して、広帯域なシステム帯域として運用し通信を行なう際に、下りリンクのシステム帯域および上りリンクのシステム帯域から、下りリンクのキャリア要素および上りリンクのキャリア要素を容易に構成するとともに、構成した下りリンクのキャリア要素および上りリンクのキャリア要素を利用して、効率的な通信（情報の送受信）を実現する移動通信システム、基地局装置および移動局装置を提供することを目的とする。
【課題を解決するための手段】
【００１７】
（１）上記の目的を達成するために、本発明は、以下のような手段を講じた。すなわち、本発明の移動通信システムは、基地局装置と移動局装置とから構成される移動通信システムであって、下りリンクのシステム帯域を基本周波数で分割して複数の下りリンクのキャリア要素を構成し、上りリンクのシステム帯域を基本周波数で分割して複数の上りリンクのキャリア要素を構成し、前記基地局装置および前記移動局装置は、前記下りリンクのキャリア要素と前記上りリンクのキャリア要素とを相互に対応させて通信を行なうことを特徴としている。
【００１８】
（２）また、本発明の移動通信システムは、基地局装置と移動局装置とから構成される移動通信システムであって、下りリンクのシステム帯域を基本周波数で分割して複数の下りリンクのキャリア要素を構成し、上りリンクのシステム帯域を基本周波数で分割して複数の上りリンクキャリア要素を構成し、前記下りリンクのキャリア要素の数と前記上りリンクのキャリア要素の数との比に基づいて、複数の下りリンクのキャリア要素を含む下りリンクのキャリア要素グループを構成し、前記基地局装置および前記移動局装置は、前記下りリンクのキャリア要素グループと前記上りリンクのキャリア要素とを相互に対応させて通信を行なうことを特徴としている。
【００１９】
（３）また、本発明の移動通信システムは、基地局装置と移動局装置とから構成される移動通信システムであって、下りリンクのシステム帯域を基本周波数で分割して複数の下りリンクのキャリア要素を構成し、上りリンクのシステム帯域を基本周波数で分割して複数の上りリンクキャリア要素を構成し、前記上りリンクのキャリア要素の数と前記下りリンクのキャリア要素の数との比に基づいて、複数の上りリンクのキャリア要素を含む上りリンクのキャリア要素グループを構成し、前記基地局装置および前記移動局装置は、前記下りリンクのキャリア要素と前記上りリンクのキャリア要素グループとを相互に対応させて通信を行なうことを特徴としている。
【００２０】
（４）また、本発明の移動通信システムにおいて、前記基地局装置は、前記基本周波数を、報知チャネルを使用してセル固有に前記移動局装置に設定することを特徴としている。
【００２１】
（５）また、本発明の移動通信システムにおいて、前記基地局装置は、前記基本周波数を、無線資源制御信号を使用して移動局装置固有に前記移動局装置に設定することを特徴としている。
【００２２】
（６）また、本発明の移動通信システムにおいて、前記基本周波数に相当する帯域幅を有する下りリンクのキャリア要素の数と、前記基本周波数に相当する帯域幅を有する上りリンクのキャリア要素の数とが等しく、下りリンクのシステム帯域に前記基本周波数に満たない帯域幅を有する下りリンクのキャリア要素が存在し、上りリンクのシステム帯域に前記基本周波数に満たない帯域幅を有する上りリンクのキャリア要素が存在する場合、前記基地局装置および前記移動局装置は、前記基本周波数に満たない帯域幅を有する下りリンクのキャリア要素と前記基本周波数に満たない帯域幅を有する上りリンクのキャリア要素とを相互に対応させて通信を行なうことを特徴としている。
【００２３】
（７）また、本発明の移動通信システムにおいて、前記基本周波数に相当する帯域幅を有する下りリンクのキャリア要素の数が、前記基本周波数に相当する帯域幅を有する上りリンクのキャリア要素の数よりも大きく、上りリンクのシステム帯域に前記基本周波数に満たない帯域幅を有する上りリンクのキャリア要素が存在する場合、前記基地局装置および前記移動局装置は、前記下りリンクのキャリア要素と前記基本周波数に満たない帯域幅を有する上りリンクのキャリア要素とを相互に対応させて通信を行なうことを特徴としている。
【００２４】
（８）また、本発明の移動通信システムにおいて、前記基本周波数に相当する帯域幅を有する下りリンクのキャリア要素の数が、前記基本周波数に相当する帯域幅を有する上りリンクのキャリア要素の数よりも大きく、下りリンクのシステム帯域に前記基本周波数に満たない帯域幅を有する下りリンクのキャリア要素が存在する場合、前記基本周波数に満たない帯域幅を有する下りリンクのキャリア要素を、隣接する下りリンクのキャリア要素と連結して下りリンクのキャリア要素グループを構成し、前記基地局装置および前記移動局装置は、前記構成した下りリンクのキャリア要素グループと前記上りリンクのキャリア要素とを相互に対応させて通信を行なうことを特徴としている。
【００２５】
（９）また、本発明の移動通信システムにおいて、前記基本周波数に相当する帯域幅を有する下りリンクのキャリア要素の数が、前記基本周波数に相当する帯域幅を有する上りリンクのキャリア要素の数よりも大きく、下りリンクのシステム帯域に前記基本周波数に満たない帯域幅を有する下りリンクのキャリア要素が含まれる場合、前記基本周波数に満たない下りリンクのキャリア要素を、隣接する下りリンクのキャリア要素が含まれる下りリンクのキャリア要素グループと連結して下りリンクのキャリア要素グループを構成し、前記基地局装置および前記移動局装置は、前記構成した下りリンクのキャリア要素グループと前記上りリンクのキャリア要素とを相互に対応させて通信を行なうことを特徴としている。
【００２６】
（１０）また、本発明の移動通信システムにおいて、前記基本周波数に相当する帯域幅を有する上りリンクのキャリア要素の数が、前記基本周波数に相当する帯域幅を有する下りリンクのキャリア要素の数よりも大きく、下りリンクのシステム帯域に前記基本周波数に満たない帯域幅を有する下りリンクのキャリア要素が含まれる場合、前記基地局装置および前記移動局装置は、前記上りリンクのキャリア要素と前記基本周波数に満たない帯域幅を有する下りリンクのキャリア要素とを相互に対応させて通信を行なうことを特徴としている。
【００２７】
（１１）また、本発明の移動通信システムにおいて、前記基本周波数に相当する帯域幅を有する上りリンクのキャリア要素の数が、前記基本周波数に相当する帯域幅を有する下りリンクのキャリア要素の数よりも大きく、上りリンクのシステム帯域に前記基本周波数に満たない帯域幅を有する上りリンクのキャリア要素が含まれる場合、前記基本周波数に満たない帯域幅を有する上りリンクのキャリア要素を、隣接する上りリンクのキャリア要素と連結して上りリンクのキャリア要素グループを構成し、前記基地局装置および前記移動局装置は、前記構成した上りリンクのキャリア要素グループと前記下りリンクのキャリア要素を相互に対応させて通信を行なうことを特徴としている。
【００２８】
（１２）また、本発明の移動通信システムにおいて、前記基本周波数に相当する帯域幅を有する上りリンクのキャリア要素の数が、前記基本周波数に相当する帯域幅を有する下りリンクのキャリア要素の数よりも大きく、上りリンクのシステム帯域に前記基本周波数に満たない帯域幅を有する上りリンクのキャリア要素が含まれる場合、前記基本周波数に満たない帯域幅を有する上りリンクのキャリア要素を、隣接する上りリンクのキャリア要素が含まれる上りリンクのキャリア要素グループと連結して上りリンクのキャリア要素グループを構成し、前記基地局装置および前記移動局装置は、前記下りリンクのキャリア要素と前記構成した上りリンクのキャリア要素グループとを相互に対応させて通信を行なうことを特徴としている。
【００２９】
（１３）また、本発明の移動通信システムにおいて、前記上りリンクのキャリア要素グループに含まれる上りリンクのキャリア要素で送信できる上りリンクの情報を制限することを特徴としている。
【００３０】
（１４）また、本発明の移動通信システムにおいて、前記上りリンクのキャリア要素グループに含まれる上りリンクのキャリア要素に配置された上りリンクのチャネルを使用できる移動局装置を制限することを特徴としている。
【００３１】
（１５）また、本発明の基地局装置は、移動通信システムに適用される基地局装置であって、下りリンクのシステム帯域および上りリンクのシステム帯域から下りリンクのキャリア要素および上りリンクのキャリア要素を構成するための基本周波数を移動局装置に送信し、下りリンクのシステム帯域を前記基本周波数で分割して複数の下りリンクのキャリア要素を構成し、上りリンクのシステム帯域を前記基本周波数で分割して複数の上りリンクのキャリア要素を構成し、前記下りリンクのキャリア要素と前記上りリンクのキャリア要素とを相互に対応させて、移動局装置と通信を行なうことを特徴としている。
【００３２】
（１６）また、本発明の移動局装置は、移動通信システムに適用される移動局装置であって、下りリンクのシステム帯域および上りリンクのシステム帯域から下りリンクのキャリア要素および上りリンクのキャリア要素を構成するための基本周波数を基地局装置から受信し、下りリンクのシステム帯域を前記基本周波数で分割して複数の下りリンクのキャリア要素を構成し、上りリンクのシステム帯域を前記基本周波数で分割して複数の上りリンクのキャリア要素を構成し、前記下りリンクのキャリア要素と前記上りリンクのキャリア要素とを相互に対応させて、基地局装置と通信を行なうことを特徴としている。
【発明の効果】
【００３３】
本発明によれば、基地局装置と移動局装置が、下りリンクのキャリア要素および上りリンクのキャリア要素を複合的に使用して、広帯域なシステム帯域として運用し通信を行なう際に、下りリンクのシステム帯域および上りリンクのシステム帯域から、下りリンクのキャリア要素および上りリンクのキャリア要素を容易に構成するとともに、構成した下りリンクのキャリア要素および上りリンクのキャリア要素を利用して、効率的な通信（情報の送受信）を実現することができる。
【発明を実施するための最良の形態】
【００３４】
次に、本発明に係る実施形態について、図面を参照しながら説明する。図１は、本発明の実施形態における物理チャネルの一構成例を概念的に示す図である。下りリンクの物理チャネルは、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）によって構成される。
【００３５】
上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）、物理ランダムアクセスチャネル（ＰＲＡＣＨ：Physical Random Access Channel）によって構成される。これらのチャネルは、基地局装置と移動局装置の間で送受される。
【００３６】
物理報知チャネル（ＰＢＣＨ）は、４０ミリ秒間隔で報知チャネル（ＢＣＨ）をマッピングする。４０ミリ秒のタイミングは、ブラインド検出（blind detection）される。すなわち、タイミング提示のために、明示的なシグナリングを行なわない。また、物理報知チャネル（ＰＢＣＨ）を含むサブフレームは、そのサブフレームだけで復号できる（自己復号可能（self-decodable））。
【００３７】
物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ：Hybrid Automatic Repeat Request）情報、および、物理上りリンク共用チャネル（ＰＵＳＣＨ）のリソース割り当てである上りリンク送信許可を移動局装置に通知するために使用されるチャネルである。
【００３８】
移動局装置は、ＰＤＣＣＨに下りリンク共用チャネルのリソース割り当てが含まれる場合、基地局装置からのＰＤＣＣＨによって指示されたリソース割り当てに応じて、物理下りリンク共用チャネル（ＰＤＳＣＨ）を使用してデータ（下りリンクデータ、および／または、下りリンク制御データ）を受信する。すなわち、このＰＤＣＣＨは、下りリンクに対するリソース割り当てを行なう信号（以下、「下りリンク送信許可信号」と呼称する。「下りリンクグラント」とも呼称する。）である。
【００３９】
また、移動局装置は、ＰＤＣＣＨに上りリンク共用チャネルのリソース割り当てが含まれる場合、基地局装置からのＰＤＣＣＨによって指示されたリソース割り当てに応じて、物理上りリンク共用チャネル（ＰＵＳＣＨ）を使用してデータ（上りリンクデータ、および／または、上りリンク制御データ）を送信する。すなわち、このＰＤＣＣＨは、上りリンクに対するデータ送信を許可する信号（以下、「上りリンク送信許可信号」と呼称する。「上りリンクグラント」とも呼称する。）である。
【００４０】
物理下りリンク共用チャネル（ＰＤＳＣＨ）は、下りリンクデータ（下りリンク共用チャネル（ＤＬ−ＳＣＨ））またはページング情報（ページングチャネル（ＰＣＨ））を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００４１】
ここで、下りリンクデータ（ＤＬ−ＳＣＨ）とは、例えば、ユーザーデータの送信を示しており、ＤＬ−ＳＣＨは、トランスポートチャネルである。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００４２】
物理上りリンク共用チャネル（ＰＵＳＣＨ）は、主に、上りリンクデータ（上りリンク共用チャネル（ＵＬ−ＳＣＨ））を送信するために使用されるチャネルである。また、基地局装置が、移動局装置をスケジューリングした場合には、下記で説明する制御データもＰＵＳＣＨを使用して送信される。制御データには、チャネル状態情報、例えば、下りリンクのチャネル品質識別子ＣＱＩ（Channel Quality Indicator）、プレコーディングマトリックス識別子ＰＭＩ（Precoding Matrix Indicator）、ランク識別子ＲＩ（Rank Indicator）、下りリンク送信に対するＨＡＲＱ肯定応答（ＡＣＫ：Positive Acknowledgement）および否定応答（ＮＡＣＫ：Negative Acknowledgement）などが含まれる。
【００４３】
ここで、上りリンクデータ（ＵＬ−ＳＣＨ）とは、例えば、ユーザーデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００４４】
また、上りリンクデータ（ＵＬ−ＳＣＨ）および下りリンクデータ（ＤＬ−ＳＣＨ）には、基地局装置と移動局装置の間でやり取りされる無線資源制御信号（以下、RRCシグナリング、Radio Resource Control Signalingと呼称する。）、ＭＡＣ（Medium Access Control）コントロールエレメントなどが含まれていても良い。
【００４５】
物理上りリンク制御チャネル（ＰＵＣＣＨ）は、制御データを送信するために使用されるチャネルである。ここで制御データとは、例えば、移動局装置から基地局装置へ送信（フィードバック）されるチャネル状態情報（ＣＱＩ、ＰＭＩ、ＲＩ）、移動局装置が、上りリンクデータを送信するためのリソースの割り当てを要求する（ＵＬ−ＳＣＨでの送信を要求する）スケジューリング要求（ＳＲ: Scheduling Request）、下りリンク送信に対するＨＡＲＱのＡＣＫ／ＮＡＣＫなどが含まれる。
【００４６】
下りリンク送信に対するＨＡＲＱのＡＣＫ／ＮＡＣＫは、そのスケジューリング方法に応じて異なる対応付けがされたＰＵＳＣＨで送信される。例えば、ダイナミック（動的）にスケジューリングされたＰＤＳＣＨに対するＡＣＫ／ＮＡＣＫは、ＰＤＳＣＨのスケジューリングに使用されるＰＤＣＣＨに動的に対応付けられたＰＵＣＣＨにて送信される。一方、セミパーシステント（準持続的）にスケジューリングされたＰＤＳＣＨに対するＡＣＫ／ＮＡＣＫは、予め設定されたＰＵＣＣＨにて送信される。
【００４７】
移動局装置から基地局装置へ送信（フィードバック）されるチャネル状態情報（ＣＱＩ、ＰＭＩ、ＲＩ）について説明する。基地局装置は、各移動局装置のチャネル品質（受信品質）に応じて、誤り訂正方式、誤り訂正の符号化率、データ変調多値数などの無線伝送パラメータ（以下、ＡＭＣ（Adaptive Modulation and Coding）モードと呼称する。）を切り替えることによって、より効率的な通信を実現することができる。ＣＱＩ（Channel Quality Indicator：チャネル品質情報とも呼称する。）とは、ＡＭＣを切り替えるために、各移動局装置からフィードバックされるチャネル品質（受信品質）を示す情報であり、移動局装置は、基地局装置から受信した信号の品質を示すチャネル品質（受信品質）をＣＱＩとして、基地局装置へフィードバックする。
【００４８】
また、基地局装置と移動局装置が、ＭＩＭＯ（Multiple Input Multiple Output）を利用したＳＤＭ（Space Division Multiplexing：空間多重技術）やＳＦＢＣ（Space-Frequency Block Coding）、ＣＤＤ（Cycle Delay Diversity）といった送信ダイバーシティを利用することによって、通信路容量を増大することが可能となる。ＭＩＭＯとは、多入力・多出力システムまたは技術の総称であり、送信側、受信側に複数のアンテナを用いて、電波の入出力の分岐数を複数にして伝送することを特徴とする。ＭＩＭＯ方式を利用して空間多重送信できる信号系列の単位をストリームと呼び、ＭＩＭＯ通信時において移動局装置が要求するストリームの数は、ＲＩ（Rank Indicator）として、移動局装置から基地局装置へ送信（フィードバック）される。
【００４９】
また、下りリンクにおけるＳＤＭの利用時については、各アンテナから送信される複数ストリームの情報を正しく分離するために、予め送信信号系列を前処理する（これを、「プレコーディング、Precoding」と呼称する）。このプレコーディングの情報は、移動局装置が推定したチャネル状況をもとに算出することができ、移動局装置から基地局装置へＰＭＩ（Precoding Matrix Indicator）として、送信（フィードバック）される。
【００５０】
このように、最適な品質での通信を実現するために、各移動局装置はＰＵＣＣＨを使用してチャネル状態情報（ＣＱＩ、ＰＭＩ、ＲＩ）を基地局装置へ送信（フィードバック）する。例えば、移動局装置は、ＰＵＣＣＨを使用してチャネル状態情報を周期的に基地局装置へ送信（フィードバック）することができる。また、前述したとおり、基地局装置がスケジューリングした場合には、移動局装置は、ＰＵＳＣＨを使用してチャネル状態情報を基地局装置へ送信する。例えば、移動局装置は、基地局装置のスケジューリングによって、ＰＵＳＣＨを使用してチャネル状態情報を非周期的に送信（フィードバック）することができる。
【００５１】
物理制御フォーマット指示チャネル（ＰＣＦＩＣＨ）は、ＰＤＣＣＨのために使用されるＯＦＤＭシンボル数を移動局装置に通知するために利用するチャネルであり、各サブフレームで送信される。物理ハイブリッド自動再送要求指示チャネル（ＰＨＩＣＨ）は、上りリンクデータのＨＡＲＱに使用されるＡＣＫ／ＮＡＣＫを送信するために利用するチャネルである。物理ランダムアクセスチャネル（ＰＲＡＣＨ）は、ランダムアクセスプリアンブルを送信するために使用されるチャネルであり、ガードタイムを持つ。
【００５２】
本実施形態に係る通信システムは、基地局装置１００と、移動局装置２００と、から構成される。基地局装置１００と、移動局装置２００は、下記に説明する構成にて、ある一部の処理をキャリア要素ごとに行ない、ある一部の処理をキャリア要素で共通に行なうことができる。
【００５３】
［基地局装置］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８、アンテナ１０９と、を含んで構成される。ここで、無線部１０３、スケジューリング部１０４、チャネル推定部１０５、受信データ復調部１０６、データ抽出部１０７、上位層１０８およびアンテナ１０９で受信部を構成する。また、データ制御部１０１、送信データ変調部１０２、無線部１０３、スケジューリング部１０４、上位層１０８およびアンテナ１０９で送信部を構成している。
【００５４】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００５５】
データ制御部１０１は、スケジューリング部１０４からトランスポートチャネルを受信する。データ制御部１０１は、トランスポートチャネルと、スケジューリング部１０４から入力されるスケジューリング情報とに基づいて、物理層で生成される信号およびチャネルを、物理チャネルにマッピングする。以上のようにマッピングされた各データは、送信データ変調部１０２へ出力される。
【００５６】
送信データ変調部１０２は、送信データをＯＦＤＭ方式に変調する。送信データ変調部１０２は、データ制御部１０１から入力されたデータに対して、スケジューリング部１０４からのスケジューリング情報（下りリンク物理リソースブロックＰＲＢ（Physical Resource Block）割り当て情報（例えば、周波数、時間から構成される物理リソースブロック位置情報））や、各ＰＲＢに対応する変調方式および符号化方式（例えば、変調方式：１６ＱＡＭ、符号化率：２／３コーディングレート）などを含む）に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。
【００５７】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００５８】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００５９】
スケジューリング部１０４は、下りリンクのスケジューリングでは、移動局装置２００から受信したフィードバック情報（上りリンクのチャネル状態情報（ＣＱＩ、ＰＭＩ、ＲＩ）や、下りリンクデータに対するＡＣＫ／ＮＡＣＫ情報など）、各移動局装置の使用可能なＰＲＢの情報、バッファ状況、上位層１０８から入力されたスケジューリング情報などに基づいて、各データを変調するための下りリンクのトランスポートフォーマット（送信形態）（物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００６０】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態）（物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００６１】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００６２】
チャネル推定部１０５は、上りリンクデータの復調のために、上りリンク復調用参照信号（ＤＲＳ：Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００６３】
受信データ復調部１０６は、ＯＦＤM方式、および／または、ＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６４】
データ抽出部１０７は、受信データ復調部１０６から入力されたデータに対して、正誤を確認するとともに、確認結果（肯定信号ＡＣＫ／否定信号ＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から通知されたチャネル状態情報（ＣＱＩ、ＰＭＩ、ＲＩ）やＡＣＫ／ＮＡＣＫ情報、スケジューリング要求などが含まれている。
【００６５】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６６】
上位層１０８は、無線リソース制御部１１０（単に、「制御部」と呼称することもある。）を有している。また、無線リソース制御部１１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００６７】
［移動局装置］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、から構成されている。ここで、データ制御部２０１、送信データ変調部２０２、無線部２０３、スケジューリング部２０４、上位層２０８、アンテナ２０９で送信部を構成する。また、無線部２０３、スケジューリング部２０４、チャネル推定部２０５、受信データ復調部２０６、データ抽出部２０７、上位層２０８、アンテナ２０９で受信部を構成する。
【００６８】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００６９】
データ制御部２０１は、スケジューリング部２０４からトランスポートチャネルを受信する。トランスポートチャネルと、スケジューリング部２０４から入力されるスケジューリング情報に基づいて物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００７０】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００７１】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００７２】
スケジューリング部２０４は、媒体アクセス制御（ＭＡＣ：Medium Access Control）層の処理を行なう。スケジューリング部２０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７３】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７４】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００７５】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネル状態情報（ＣＱＩ、ＰＭＩ、ＲＩ）や、データ抽出部２０７から入力されたＣＲＣ確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７６】
チャネル推定部２０５は、下りリンクデータの復調のために、下りリンク参照信号（ＲＳ）から下りリンクのチャネル状態を推定し、その推定結果を受信データ復調部２０６に出力する。また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネル状態情報（ＣＱＩ、ＰＭＩ、ＲＩなど）に変換して、スケジューリング部２０４に出力する。
【００７７】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００７８】
データ抽出部２０７は、受信データ復調部２０６から入力されたデータに対して、ＣＲＣを行ない、正誤を確認するとともに、確認結果（肯定応答ＡＣＫ／否定応答ＮＡＣＫ）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００７９】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００８０】
（第１の実施形態）
次に、基地局装置１００および移動局装置２００を用いた移動通信システムにおける第１の実施形態を説明する。第１の実施形態における移動通信システムでは、基地局装置と移動局装置は、下りリンクのシステム帯域を基本周波数（ＢＦ：Base Frequency）（基本周波数帯域幅（ＢＦＢ：Base Frequency Bandwidth）とも呼称する）で分割して、複数の下りリンクのキャリア要素を構成し、上りリンクのシステム帯域を基本周波数（基本周波数帯域幅とも呼称する）で分割して、複数の上りリンクのキャリア要素を構成し、構成した下りリンクのキャリア要素と上りリンクのキャリア要素を、相互に対応させて通信を行なうことができる。
【００８１】
以下、本実施形態では、周波数帯域は、帯域幅（Ｈｚ）で定義されているが、周波数と時間で構成されるリソースブロック（ＲＢ（ＲＢｓ））の数で定義されても良い。本実施形態におけるキャリア要素（ＣＣ：Carrier Component、Component Carrierとも呼称する）とは、（広帯域な）システム帯域を持った移動通信システムにおいて、基地局装置と移動局装置が通信を行なう際に使用する（狭帯域な）周波数帯域を示している。基地局装置と移動局装置は、複数のキャリア要素（例えば、２０ＭＨｚの帯域幅を持った５つの周波数帯域）を集約する(周波数帯域集約：Spectrum aggregation、Carrier aggregation、Frequency aggregation、などとも呼ばれる)ことによって、（広帯域な）システム帯域（例えば、１００ＭＨｚの帯域幅を持ったシステム帯域）を構成し、高速なデータ通信（情報の送受信）を実現することができる。
【００８２】
キャリア要素とは、この（広帯域な）システム帯域（例えば、１００ＭＨｚの帯域幅を持ったシステム帯域）を構成する（狭帯域な）周波数帯域（例えば、２０ＭＨｚの帯域幅を持った周波数帯域）それぞれのことを示している。すなわち、下りリンクのキャリア要素は、下りリンクのシステム帯域の中の一部の帯域幅を有し、上りリンクのキャリア要素は、上りリンクのシステム帯域の中の一部の帯域幅を有している。また、キャリア要素は、ある特定の物理チャネル（例えば、ＰＤＣＣＨ、ＰＵＣＣＨなど）が構成される単位として定義されてもよい。
【００８３】
また、この広帯域なシステム帯域を構成するキャリア要素自体が、さらに、複数のキャリア要素によって構成されていてもよい。以下、本実施形態では、複数のキャリア要素（群）によって構成されるキャリア要素をキャリア要素グループ（ＣＣＧ：Carrier Component Group、Component Carrier Groupとも呼称する）と呼称する。例えば、本実施形態では、広帯域なシステム帯域（例えば、１００ＭＨｚの帯域幅を持ったシステム帯域）を、２つのキャリア要素グループ（例えば、４０ＭＨｚの帯域幅を持ったキャリア要素グループと６０ＭＨｚの帯域幅を持ったキャリア要素グループ）によって構成し、それら２つのキャリア要素グループそれぞれを、さらに複数のキャリア要素によって構成することができる。例えば、４０ＭＨｚの帯域幅を持ったキャリア要素グループを、２０ＭＨｚの帯域幅を持った２つのキャリア要素を集約することによって構成し、６０ＭＨｚの帯域幅を持ったキャリア要素グループを、２０ＭＨｚの帯域幅を持った３つのキャリア要素を集約することによって構成することができる。
【００８４】
また、キャリア要素および／またはキャリア要素グループは、連続な周波数帯域に配置されていても、不連続な周波数帯域に配置されていてもよく、連続および／または不連続な周波数帯域である複数のキャリア要素および／またはキャリア要素グループを集約することによって、広帯域なシステム帯域を構成することができる。さらに、キャリア要素および／またはキャリア要素グループによって構成される下りリンクのシステム帯域および上りリンクのシステム帯域は、同じ帯域幅である必要はない。基地局装置と移動局装置は、下りリンクのシステム帯域と上りリンクのシステム帯域が異なる帯域幅であっても、それらのシステム帯域を使用して通信を行なうことができる。
【００８５】
図４は、第１の実施形態を説明するための下りリンクの周波数帯域および上りリンクの周波数帯域を示している。以下、第１の実施形態における移動通信システムでは、下りリンクのシステム帯域（下りリンクのシステム帯域幅でも良い）、すなわち、システム内の下りリンクのキャリア要素を集約した周波数帯域（周波数帯域幅）を、ＤＬシステム帯域（ＤＳＢ：Downlink System Band、Downlink System Bandwidthとも呼称する）と呼称し、上りリンクのシステム帯域（下りリンクのシステム帯域幅でも良い）、すなわち、システム内の上りリンクのキャリア要素を集約した周波数帯域（周波数帯域幅）を、ＵＬシステム帯域（ＵＳＢ：Uplink System Band、Uplink System Bandwidthとも呼称する）と呼称する。
【００８６】
第１の実施形態における移動通信システムでは、基地局装置と移動局装置は、広帯域な帯域幅を持つ（例えば、それぞれ１００ＭＨｚの帯域幅を持つ）ＤＬシステム帯域およびＵＬシステム帯域を、基本周波数（ＢＦ：Base Frequency）によって分割し、得られた（例えば、それぞれ２０ＭＨｚの帯域幅を持つ）周波数帯域を、下りリンクのキャリア要素（ＤＣＣ：Downlink Carrier Component、Downlink Component Carrierとも呼称する）および上りリンクのキャリア要素（ＵＣＣ：Uplink Carrier Component、Uplink Component Carrierとも呼称する）とすることができる。
【００８７】
ここで、この基本周波数（基本周波数帯域幅（ＢＦＢ：Base Frequency Bandwidth）とも呼称する）は、上りリンクと下りリンクで別の値（別の周波数帯域幅）が設定、若しくは、定義されてもよい。基地局装置と移動局装置は、ＤＬシステム帯域を、基本周波数（ＢＦ）で分割することによって得られた複数の下りリンクのキャリア要素と、ＵＬシステム帯域を基本周波数（ＢＦ）で分割することによって得られた複数の上りリンクのキャリア要素を、相互に対応させて通信を行なうことができ、例えば、下りリンクのキャリア要素と上りリンクのキャリア要素を、周波数が増加する方向に相互に対応させて通信を行なうことができる。すなわち、基地局装置と移動局装置は、ＤＬシステム帯域およびＵＬシステム帯域から、基本周波数（ＢＦ）によって得られた下りリンクのキャリア要素および上りリンクのキャリア要素を、複合的に用いて（周波数帯域集約をすることによって）広帯域なシステム帯域として運用し、高速な通信（情報の送受信）を行なうことができる。
【００８８】
ここで、基本周波数（ＢＦ）とは、基地局装置と移動局装置が、ＤＬシステム帯域およびＵＬシステム帯域から、下りリンクのキャリア要素および上りリンクのキャリア要素を得る（決定する）ための、基本（ベース）となる周波数（周波数帯域）である。基地局装置と移動局装置は、ＤＬシステム帯域およびＵＬシステム帯域を基本周波数（ＢＦ）で分割することにより、下りリンクのキャリア要素および上りリンクのキャリア要素の構成を得る（決定する、算出する）ことができる。この際、基地局装置と移動局装置が、ＤＬシステム帯域および／またはＵＬシステム帯域を基本周波数（ＢＦ）で分割しきれなかった場合（ＤＬシステム帯域および／またはＵＬシステム帯域を、基本周波数（ＢＦ）で分割した際に余りがでてしまう場合、下りリンクのキャリア要素および／または上りリンクのキャリア要素が基本周波数に満たない周波数帯域幅を持つ場合）の動作については後述する。
【００８９】
図４に示す移動通信システムでは、基地局装置と移動局装置が、ＤＬシステム帯域を基本周波数（ＢＦ）で分割することによって、下りリンクの５つのキャリア要素（ＤＣＣ−０、ＤＣＣ−１、ＤＣＣ−２、ＤＣＣ−３、ＤＣＣ−４）を構成している様子を概念的に示している。また、基地局装置と移動局装置が、ＵＬシステム帯域を基本周波数（ＢＦ）で分割することによって、上りリンクの５つのキャリア要素（ＵＣＣ−０、ＵＣＣ−１、ＵＣＣ−２、ＵＣＣ−３、ＵＣＣ−４）を構成している様子を概念的に示している。ここで、下りリンクの５つのキャリア要素および上りリンクの５つのキャリア要素は、それぞれ周波数が増加する方向にＤＣＣ−０、ＤＣＣ−１、ＤＣＣ−２、ＤＣＣ−３、ＤＣＣ−４およびＵＣＣ−０、ＵＣＣ−１、ＵＣＣ−２、ＵＣＣ−３、ＵＣＣ−４とインデックスされていることになる（以下、説明する図は、周波数が左から右に増加している）。
【００９０】
また、図４の下りリンクのキャリア要素および上りリンクのキャリア要素から相互に伸びている矢印は、基地局装置と移動局装置が、下りリンクのキャリア要素（ＤＣＣ−０、ＤＣＣ−１、ＤＣＣ−２、ＤＣＣ−３、ＤＣＣ−４）と上りリンクのキャリア要素（ＵＣＣ−０、ＵＣＣ−１、ＵＣＣ−２、ＵＣＣ−３、ＵＣＣ−４）を、相互に対応させて通信を行なっていることを示している。すなわち、図４では、基地局装置と移動局装置は、下りリンクのキャリア要素と上りリンクのキャリア要素を、周波数が増加する方向（インデックスが増加する方向）に対応させて通信を行なっている。
【００９１】
ここで、図４に示す移動通信システムは、下りリンクのキャリア要素の数（ＤＣＣＮ：Downlink Carrier Component Number 、Downlink Component Carrier Numberとも呼称する）と上りリンクのキャリア要素の数（ＵＣＣＮ：Uplink Carrier Component Number 、Uplink Component Carrier Numberとも呼称する）が、同じ(等しい)数を持った移動通信システムであると言える。
【００９２】
図４に示す移動通信システムにおいて、基地局装置と移動局装置は、下りリンクのキャリア要素（ＤＣＣ−０、ＤＣＣ−１、ＤＣＣ−２、ＤＣＣ−３、ＤＣＣ−４）と上りリンクのキャリア要素（ＵＣＣ−０、ＵＣＣ−１、ＵＣＣ−２、ＵＣＣ−３、ＵＣＣ−４）を、相互に対応させて通信を行なう。すなわち、基地局装置は、ＤＣＣ−０を使用して（ＤＣＣ−０に配置されたとも言える）下りリンクの情報を移動局装置に送信し、移動局装置は、ＤＣＣ−０に対応するＵＣＣ−０を使用して（ＵＣＣ−０に配置されたとも言える）上りリンクの情報を基地局装置に送信する。
【００９３】
例えば、基地局装置は、ＤＣＣ−０を使用して、下りリンクデータ（例えば、下りユーザーデータ、下りリンクのトランスポートブロックとも言える）を移動局装置に送信し、移動局装置は、ＤＣＣ−０に対応するＵＣＣ−０を使用して、下りリンクデータに対するＨＡＲＱのＡＣＫ／ＮＡＣＫを基地局装置に送信することができる。同様に、基地局装置は、ＤＣＣ−１、ＤＣＣ−２、ＤＣＣ−３、ＤＣＣ−４を使用して、下りリンクデータ（下りユーザーデータ、下りリンクのトランスポートブロックとも言える）を送信し、移動局装置は、下りリンクのキャリア要素それぞれに対応したＵＣＣ−１、ＵＣＣ−２、ＵＣＣ−３、ＵＣＣ−４を使用して、下りリンクデータに対するＨＡＲＱのＡＣＫ／ＮＡＣＫを基地局装置に送信する。
【００９４】
すなわち、図４における移動通信システムでは、基地局装置は、同一サブフレームで（同時に）、ＤＣＣ−０、ＤＣＣ−１、ＤＣＣ−２、ＤＣＣ−３、ＤＣＣ−４を使用して、移動局装置に下りリンクデータを送信し、移動局装置は、同一サブフレームで（同時に）、下りリンクのキャリア要素それぞれに対応する上りリンクのキャリア要素ＵＣＣ−０、ＵＣＣ−１、ＵＣＣ−２、ＵＣＣ−３、ＵＣＣ−４を使用して、下りリンクデータに対するＨＡＲＱのＡＣＫ／ＮＡＣＫを基地局装置に送信することができる。
【００９５】
ここで、基地局装置は、ＤＬシステム帯域および／またはＵＬシステム帯域および／または基本周波数（ＢＦ）を示す情報を、基地局装置が管理するセル内の移動局装置に、報知チャネル（ＢＣＨ）を使用して一律に送信（報知）することができる。基地局装置が、これらの情報を、報知チャネルを使用して送信（報知）することによって、ＤＬシステム帯域および／またはＵＬシステム帯域および／または基本周波数（ＢＦ）を示す情報を、移動局装置に対してセル固有に設定することが可能となり、無線リソースを効率的に使用して、下りリンクのキャリア要素および上りリンクのキャリア要素を構成することが可能となる。また、基地局装置は、ＤＬシステム帯域および／またはＵＬシステム帯域および／または基本周波数（ＢＦ）を示す情報を、無線資源制御信号（ＲＲＣシグナリング）を使用して、移動局装置に対して設定することができる。基地局装置が、これらの情報を、無線資源制御信号（ＲＲＣシグナリング）を使用して送信（設定）することによって、ＤＬシステム帯域および／またはＵＬシステム帯域および／または基本周波数（ＢＦ）を示す情報を、移動局装置に対して移動局装置固有に設定することが可能となり、下りリンクのキャリア要素および上りリンクのキャリア要素を、移動局装置ごとに、より柔軟に構成することが可能となる。
【００９６】
また、基地局装置と移動局装置が、ＤＬシステム帯域およびＵＬシステム帯域から、下りリンクのキャリア要素および上りリンクのキャリアを得るためのベースとなる基本周波数（ＢＦ）は仕様等によって予め定義されていても良い。基本周波数（ＢＦ）を、仕様等によって事前に定義することによって、下りリンクのキャリア要素および／または上りリンクのキャリア要素を容易に得る（決定する）ことができ、無線リソースを効率的に使用することができる。
【００９７】
さらに、基地局装置と移動局装置が、ＤＬシステム帯域および／またはＵＬシステム帯域から、下りリンクのキャリア要素および／または上りリンクのキャリア要素を、不連続な周波数帯域から構成する場合、基地局装置は、他の（連続／不連続な）周波数帯域と連結（結合）されずに、独立なキャリア要素となる周波数帯域を示す情報を、移動局装置に対して、報知チャネル（ＢＣＨ）や無線資源制御信号（ＲＲＣシグナリンス）を使用して送信（設定）しても良い。基地局装置が、他の周波数帯域とは連結（結合）されずに、独立なキャリア要素として構成される周波数帯域を示す情報を、移動局装置に対して送信（設定）することにより、不連続な周波数帯域を周波数集約して、広帯域なシステム帯域として運用する際に、搬送周波数が大きく異なる周波数帯域を連結（結合）させることなくキャリア要素を構成し、それらを複合的に用いて通信を行なうことができる。
【００９８】
図５は、第１の実施形態を適用可能な移動通信システムの例を示す図である。図５では、ＤＬシステム帯域およびＵＬシステム帯域がそれぞれ１００ＭＨｚの帯域幅を持った周波数帯域を示し、また、基本周波数（ＢＦ）として、２０ＭＨｚの帯域幅を持った周波数帯域が示されている。図５に示す移動通信システムは、ＤＬシステム帯域幅とＵＬシステム帯域幅が同じ（等しい）移動通信システムである。
【００９９】
図５に示す移動通信システムにおいて、基地局装置と移動局装置は、１００ＭＨｚの帯域幅を持つＤＬシステム帯域を、２０ＭＨｚの帯域幅を持つ基本周波数（ＢＦ）で分割して、下りリンクの５つのキャリア要素ＤＣＣ−０、ＤＣＣ−１、ＤＣＣ−２、ＤＣＣ−３、ＤＣＣ−４を構成する。また、基地局装置と移動局装置は、１００ＭＨｚの帯域幅を持つＵＬシステム帯域を、２０ＭＨｚの帯域幅を持つ基本周波数（ＢＦ）で分割して、上りリンクの５つのキャリア要素ＵＣＣ−０、ＵＣＣ−１、ＵＣＣ−２、ＵＣＣ−３、ＵＣＣ−４を構成する。すなわち、図５に示すシステムは、下りリンクのキャリア要素の数と上りリンクのキャリア要素の数が同じ（等しい）数を持った移動通信システムである。
【０１００】
ＤＬシステム帯域およびＵＬシステム帯域を基本周波数（ＢＦ）で分割し、下りリンクのキャリア要素および上りリンクのキャリア要素を構成した基地局装置と移動局装置は、下りリンクのキャリア要素および上りリンクのキャリア要素を、相互に対応させて通信を行なうことができる。例えば、基地局装置と移動局装置は、下りリンクのキャリア要素と上りリンクのキャリア要素を、それぞれ周波数が増加する方向にインデックスし、周波数が増加する方向（インデックスが増加する方向）に、相互に対応させて通信を行なうことができる。
【０１０１】
すなわち、基地局装置は、下りリンクのキャリア要素（ＤＣＣ−０、ＤＣＣ−１、ＤＣＣ−２、ＤＣＣ−３、ＤＣＣ−４）それぞれを使用して（ＤＣＣ−０、ＤＣＣ−１、ＤＣＣ−２、ＤＣＣ−３、ＤＣＣ−４それぞれに配置されたとも言える）下りリンクの情報を移動局装置に送信し、移動局装置は、下りリンクのキャリア要素それぞれに対応する上りリンクのキャリア要素（ＵＣＣ−０、ＵＣＣ−１、ＵＣＣ−２、ＵＣＣ−３、ＵＣＣ−４）それぞれを使用して（ＵＣＣ−０、ＵＣＣ−１、ＵＣＣ−２、ＵＣＣ−３、ＵＣＣ−４それぞれに配置されたとも言える）上りリンクの情報を基地局装置に送信する。図５では、基地局装置と移動局装置が、下りリンクのキャリア要素と上りリンクのキャリア要素を、周波数が増加する方向（インデックスが増加する方向）、すなわち、ＤＣＣ−０とＵＣＣ−０、ＤＣＣ−１とＵＣＣ−１、ＤＣＣ−２とＵＣＣ−２、ＤＣＣ−３とＵＣＣ−３、ＤＣＣ−４とＵＣＣ−４を相互に対応させて通信を行なっていることを示している。
【０１０２】
例えば、基地局装置は、ＤＣＣ−０（ＤＣＣ−０に配置されたとも言える）の物理下りリンク共用チャネル（以下、ＰＤＳＣＨ）を使用して、下りリンクデータ（例えば、下りユーザーデータ、下りリンクのトランスポートブロックとも言える）を送信し、移動局装置は、ＤＣＣ−０に対応するＵＣＣ−０（ＵＣＣ−０に配置されたとも言える）の物理上りリンク制御チャネル（以下、ＰＵＣＣＨ）を使用して、下りリンクデータに対するＨＡＲＱのＡＣＫ／ＮＡＣＫを送信する。同様に、基地局装置は、ＤＣＣ−１、ＤＣＣ−２、ＤＣＣ−３、ＤＣＣ−４それぞれのＰＤＳＣＨを使用して（ＤＣＣ−１、ＤＣＣ−２、ＤＣＣ−３、ＤＣＣ−４それぞれに配置されたＰＤＳＣＨを使用して、とも言える）下りリンクデータ（例えば、下りユーザーデータ、下りリンクのトランスポートブロックとも言える）を送信し、移動局装置は、下りリンクのキャリア要素それぞれに対応するＵＬ−１、ＵＬ−２、ＵＬ−３、ＵＬ−４それぞれのＰＵＣＣＨを使用して（ＵＣＣ−１、ＵＣＣ−２、ＵＣＣ−３、ＵＣＣ−４それぞれに配置されたＰＵＣＣＨを使用して、とも言える）下りリンクデータに対するＨＡＲＱのＡＣＫ／ＮＡＣＫを送信する。
【０１０３】
これは、図５における移動通信システムにおいて、基地局装置が、同一サブフレームで（同時に）、下りリンクのキャリア要素（ＤＣＣ−０、ＤＣＣ−１、ＤＣＣ−２、ＤＣＣ−３、ＤＣＣ−４）それぞれのＰＤＳＣＨを使用して、下りリンクデータ（例えば、下りユーザーデータ、下りリンクのトランスポートブロックとも言える）を移動局装置に送信し、移動局装置が、同一サブフレームで（同時に）、下りリンクのキャリア要素それぞれに対応する上りリンクのキャリア要素（ＵＣＣ−０、ＵＣＣ−１、ＵＣＣ−２、ＵＣＣ−３、ＵＣＣ−４）それぞれのＰＵＣＣＨを使用して、下りリンクデータに対するＨＡＲＱのＡＣＫ／ＮＡＣＫを基地局装置に送信できることを示している。
【０１０４】
また、基地局装置は、下りリンクのキャリア要素（ＤＣＣ−０、ＤＣＣ−１、ＤＣＣ−２、ＤＣＣ−３、ＤＣＣ−４）それぞれの物理下りリンク制御チャネル（ＰＤＣＣＨ）を使用して、ＰＤＳＣＨのリソース割り当て、および、物理上りリンク共用チャネル（ＰＵＳＣＨ）のリソース割り当て情報を含む上りリンク送信許可信号（上りリンクグラント）を移動局装置に送信し、移動局装置は、上りリンク送信許可信号（上りリンクグラント）に含まれるリソース割り当て情報に従って、上りリンクデータ（例えば、上りユーザーデータ、上り制御データ、上りリンクのトランスポートブロックとも言える）を、上りリンクのキャリア要素（ＵＣＣ−０、ＵＣＣ−１、ＵＣＣ−２、ＵＣＣ−３、ＵＣＣ−４）それぞれのＰＵＳＣＨを使用して基地局装置に送信する。また、基地局装置は、上りリンクデータに対するＨＡＲＱのＡＣＫ／ＮＡＣＫを、上りリンクのキャリア要素に対応する下りリンクのキャリア要素（ＤＣＣ−０、ＤＣＣ−１、ＤＣＣ−２、ＤＣＣ−３、ＤＣＣ−４）それぞれのＰＨＩＣＨを使用して、移動局装置に送信する。
【０１０５】
上記までに示したように、第１の実施形態では、基地局装置と移動局装置が、下りリンクのキャリア要素と上りリンクのキャリア要素を複合的に使用して、広帯域なシステム帯域として運用し、通信を行なう際に、下りリンクのシステム帯域を基本周波数（ＢＦ）で分割して、複数の下りリンクのキャリア要素を構成し、上りリンクのシステム帯域を基本周波数（ＢＦ）で分割して、複数の上りリンクのキャリア要素を構成し、構成した下りリンクのキャリア要素と上りリンクのキャリア要素を、相互に対応させて通信を行なうことにより、下りリンクのシステム帯域および上りリンクのシステム帯域から、容易に下りリンクのキャリア要素および上りリンクのキャリア要素を構成し、構成した下りリンクのキャリア要素および上りリンクのキャリア要素を利用して、効率的な通信（情報の送受信）を実現することができる。
【０１０６】
さらに、基地局装置が、下りリンクで送信される情報（例えば、下りユーザーデータ、下りリンクのトランスポートブロックとも言える）に対応した上りリンクの情報（例えば、下りリンクで送信される情報に対するＨＡＲＱのＡＣＫ／ＮＡＣＫ）を、上りリンクのどのキャリア要素を使用して送信するのかを指示する制御信号（制御情報）を送信する必要がなくなり、無線リソースを効率的に使用した通信（情報の送受信）を行なうことができる。
【０１０７】
（第２の実施形態）
次に、本発明の第２の実施形態について説明する。本発明の第２の実施形態は、第１の実施形態と同様に、下りリンクのキャリア要素および上りリンクのキャリア要素を複合的に使用して、広帯域なシステム帯域として運用し、通信する移動通信システム、基地局装置、および、移動局装置に適用可能である。以下、第１の実施形態で記載した内容と同様な部分は省略する。
【０１０８】
第２の実施形態における基地局装置と移動局装置は、下りリンクのシステム帯域（ＤＬシステム帯域）を基本周波数（ＢＦ）（基本周波数帯域幅（ＢＦＢ）とも呼称する）で分割して、複数の下りリンクのキャリア要素を構成し、上りリンクのシステム帯域（ＵＬシステム帯域）を基本周波数（ＢＦ）で分割して、複数の上りリンクのキャリア要素を構成し、ＤＬシステム帯域を分割することにより得られた下りリンクのキャリア要素の数と、ＵＬシステム帯域を分割することにより得られた上りリンクのキャリア要素の数との比から、複数の下りリンクのキャリア要素を含む下りリンクのキャリア要素グループを構成し、構成した下りリンクのキャリア要素グループと上りリンクのキャリア要素を、相互に対応させて通信を行なうことができる。
【０１０９】
また、基地局装置と移動局装置は、ＤＬシステム帯域を基本周波数（ＢＦ）で分割して、複数の下りリンクのキャリア要素を構成し、ＵＬシステム帯域を基本周波数（ＢＦ）で分割して、複数の上りリンクのキャリア要素を構成し、ＵＬシステム帯域を分割することにより得られた上りリンクのキャリア要素の数と、ＤＬシステム帯域を分割することにより得られた下りリンクのキャリア要素の数との比から、複数の上りリンクのキャリア要素を含む上りリンクのキャリア要素グループを構成し、構成した下りリンクのキャリア要素と上りリンクのキャリア要素グループを、相互に対応させて通信を行なうことができる。
【０１１０】
図６は、第２の実施形態を適用可能な移動通信システムの例を示す図である。図６に示す移動通信システムでは、ＤＬシステム帯域が１００ＭＨｚの帯域幅を持った周波数帯域を示し、ＵＬシステム帯域が４０ＭＨｚの帯域幅を持った周波数帯域を示し、また、基本周波数（ＢＦ）として、２０ＭＨｚの帯域幅を持った周波数帯域が示されている。図６に示す移動通信システムは、ＤＬシステム帯域の帯域幅が、ＵＬシステム帯域の帯域幅よりも大きい（広い帯域幅を持った）移動通信システムである。
【０１１１】
図６において、基地局装置と移動局装置は、１００ＭＨｚの帯域幅を持つＤＬシステム帯域を、２０ＭＨｚの帯域幅を持つ基本周波数（ＢＦ）で分割して、下りリンクのキャリア要素（ＤＣＣ−０、ＤＣＣ−１、ＤＣＣ−２、ＤＣＣ−３、ＤＣＣ−４）を構成する。下りリンクの５つのキャリア要素は、それぞれ周波数が増加する方向にＤＣＣ−０、ＤＣＣ−１、ＤＣＣ−２、ＤＣＣ−３、ＤＣＣ−４とインデックスされていることになる（以下、説明する図は、周波数が左から右に増加している）。また、基地局装置と移動局装置は、４０ＭＨｚの帯域幅を持つＵＬシステム帯域を、２０ＭＨｚの帯域幅を持つ基本周波数（ＢＦ）で分割して、上りリンクのキャリア要素（ＵＣＣ−０、ＵＣＣ−１）を構成する。
【０１１２】
上りリンクの２つのキャリア要素は、それぞれ周波数が増加する方向にＵＣＣ−０、ＵＣＣ−１とインデックスされていることになる。ここで、図６に示す移動通信システムは、下りリンクのキャリア要素の数（ＤＣＣＮ）が５つであり、上りリンクキャリア要素の数（ＵＣＣＮ）の数が２つであり、下りリンクのキャリア要素の数が上りリンクのキャリア要素の数よりも多い移動通信システムである。
【０１１３】
図６において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、その比から、下りリンクの１つのキャリア要素グループに含まれるキャリア要素の数（ＤＣＣＮｉｎＤＣＣＧ：Downlink Carrier Component Number in Downlink Carrier Component Group、Downlink Component Carrier Number in Downlink Component Carrier Groupとも呼称する）を算出する。すなわち、基地局装置と移動局装置は、下りリンクのキャリア要素の数“５”と上りリンクのキャリア要素の数“２”から、下りリンクの１つのキャリア要素グループに含まれるキャリア要素の数（ＤＣＣＮｉｎＤＣＣＧ）“２（５／２＝２．５、小数点以下切り捨て）”を算出し、下りリンクの１つのキャリア要素グループを、“２つ”のキャリア要素によって構成する（“２つ”のキャリア要素から１つのキャリア要素グループを構成する）。
【０１１４】
基地局装置と移動局装置は、下りリンクのキャリア要素の数が、上りリンクのキャリア要素の数よりも多い場合、“下りリンクのキャリア要素の数（ＤＣＣＮ）／上りリンクキャリア要素の数（ＵＣＣＮ）”から、下りリンクの１つのキャリア要素グループに含まれるキャリア要素の数（ＤＣＣＮｉｎＤＣＣＧ）を算出する。
【０１１５】
上述したように、本実施形態におけるキャリア要素は、さらに複数のキャリア要素によって構成することができ、複数のキャリア要素（群）によって構成される（複数のキャリア要素を含んだ）キャリア要素をキャリア要素グループ（ＣＣＧ：Carrier Component Group、Component Carrier Group）と呼称する。
【０１１６】
下りリンクの１つのキャリア要素グループに含まれるキャリア要素の数を、下りリンクのキャリア要素の数と上りリンクのキャリア要素の数から算出した基地局装置と移動局装置は、周波数が低い方から高い方に順番に（周波数が増加する方向に、インデックスが増加する方向に）、下りリンクのキャリア要素を連結（結合）して、下りリンクのキャリア要素グループを構成し、上りリンクのキャリア要素と対応させていく。
【０１１７】
図６では、下りリンクの１つのキャリア要素グループに含まれる下りリンクのキャリア要素の数は“２”であるので、基地局装置と移動局装置は、下りリンクのキャリア要素（ＤＣＣ−０、ＤＣＣ−１、ＤＣＣ−２、ＤＣＣ−３、ＤＣＣ−４）を、周波数の低い方から高い方に順番に（周波数が増加する方向に、インデックスが増加する方向に）２つずつ連結（結合）し、下りリンクのキャリア要素グループ（ＤＣＣＧ−０、ＤＣＣＧ−１）を構成し、上りリンクのキャリア要素（ＵＣＣ−０、ＵＣＣ−１）と、対応させていく。
【０１１８】
すなわち、下りリンクのキャリア要素ＤＣＣ−０、ＤＣＣ−１から、下りリンクのキャリア要素グループＤＣＣＧ−０を構成し（ＤＣＣ−０、ＤＣＣ−１を含んだＤＣＣＧ−１を構成し）、上りリンクのキャリア要素ＵＣＣ−０と対応させ、下りリンクのキャリア要素ＤＣＣ−２、ＤＣＣ−３から、下りリンクのキャリア要素グループＤＣＣＧ−１を構成し（ＤＣＣ−２、ＤＣＣ−３を含んだＤＣＣＧ−１を構成し）、上りリンクのキャリア要素ＵＣＣ−１と対応させる。
【０１１９】
ここで、下りリンクのシステム帯域を基本周波数（ＢＦ）で分割して余った下りリンクのキャリア要素は、周波数が低い側に隣接する下りリンクのキャリア要素（１つ前のインデックスが付与されている下りリンクのキャリア要素）、もしくは、周波数が低い側に隣接する下りリンクのキャリア要素を含んだキャリア要素グループ（１つ前のインデックスが付与されている下りリンクのキャリア要素が含まれているキャリア要素グループ）と連結（結合）されて、１つのキャリア要素グループとして纏められる。
【０１２０】
すなわち、図６では、下りリンクのシステム帯域を基本周波数（ＢＦ）で分割して余った下りリンクのキャリア要素ＤＣＣ−４が、周波数が低い側に隣接する下りリンクのキャリア要素（ＤＣＣ−３）を含んだキャリア要素グループ（１つ前のインデックスが付与されている下りリンクのキャリア要素ＤＣＣ−３を含んだキャリア要素グループ）ＤＣＣＧ−１と連結（結合）され、下りリンクのキャリア要素ＤＣＣ−２、ＤＣＣ−３、ＤＣＣ−４を含んだ下りリンクのキャリア要素グループＤＣＣＧ−１が構成されて、上りリンクのキャリア要素（ＵＣＣ−１）と対応させられる。
【０１２１】
これにより、基地局装置と移動局装置は、図６で示すように、下りリンクのキャリア要素グループ（ＤＣＣＧ−０、ＤＣＣＧ−１）と上りリンクのキャリア要素（ＵＣＣ−０、ＵＣＣ−１）とを、相互に対応させて（ＤＣＣＧ−０とＵＣＣ−０、ＤＣＣＧ−１とＵＣＣ−１を対応させて）通信を行なうことができる。
【０１２２】
すなわち、基地局装置は、下りリンクのキャリア要素グループ（ＤＣＣＧ−０、ＤＣＣＧ−１）それぞれを使用して（ＤＣＣＧ−０、ＤＣＣＧ−１それぞれに配置されたとも言える）下りリンクの情報を移動局装置に送信し、移動局装置は、下りリンクのキャリア要素グループそれぞれに対応する上りリンクのキャリア要素（ＵＣＣ−０、ＵＣＣ−１）それぞれを使用して（ＵＬ−１、ＵＬ−２それぞれに配置されたとも言える）上りリンクの情報を基地局装置に送信する。
【０１２３】
例えば、基地局装置は、ＤＣＣＧ−０（ＤＣＣＧ−０に配置されたとも言える）のＰＤＳＣＨを使用して、下りリンクデータ（例えば、下りユーザーデータ、下りリンクのトランスポートブロックとも言える）を送信し、移動局装置は、ＤＣＣＧ−０に対応するＵＣＣ−０（ＵＣＣ−０に配置されたとも言える）のＰＵＣＣＨを使用して、下りリンクデータに対するＨＡＲＱのＡＣＫ／ＮＡＣＫを送信する。同様に、基地局装置は、ＤＣＣＧ−１（ＤＣＣＧ−１に配置されたとも言える）のＰＤＳＣＨを使用して、下りリンクデータ（例えば、下りユーザーデータ、下りリンクのトランスポートブロックとも言える）を送信し、移動局装置は、ＤＣＣＧ−１に対応するＵＣＣ−１（ＵＣＣ−１に配置されたとも言える）のＰＵＣＣＨを使用して、下りリンクデータに対するＨＡＲＱのＡＣＫ／ＮＡＣＫを送信する。
【０１２４】
これは、図６における移動通信システムにおいて、基地局装置が、同一サブフレームで（同時に）、下りリンクのキャリア要素グループ（ＤＣＣＧ−０、ＤＣＣＧ−１）それぞれのＰＤＳＣＨを使用して、下りリンクデータ（例えば、下りユーザーデータ、下りリンクのトランスポートブロックとも言える）を移動局装置に送信し、移動局装置が、同一サブフレームで（同時に）、下りリンクのキャリア要素グループそれぞれに対応する上りリンクのキャリア要素（ＵＣＣ−０、ＵＣＣ−１）それぞれのＰＵＣＣＨを使用して、下りリンクデータに対するＨＡＲＱのＡＣＫ／ＮＡＣＫを送信できることを示している。ここで、下りリンクのキャリア要素グループ（ＤＣＣＧ−０、ＤＣＣＧ−１）それぞれのＰＤＳＣＨで送信される下りリンクデータ（例えば、下りユーザーデータ、下りリンクのトランスポートブロックとも言える）とは、下りリンクのキャリア要素（すなわち、ＤＣＣＧ−０を構成するＤＣＣ−０、ＤＣＣ−１、ＤＣＣＧ−１を構成するＤＣＣ−２、ＤＣＣ−３、ＤＣＣ−４）それぞれのＰＤＳＣＨで送信される下りリンクデータ（例えば、下りユーザーデータ、下りリンクのトランスポートブロックとも言える）であっても良い。
【０１２５】
また、基地局装置は、下りリンクのキャリア要素グループ（ＤＣＣＧ−０、ＤＣＣＧ−１）それぞれのＰＤＣＣＨを使用して、ＰＤＳＣＨのリソース割り当て、および、ＰＵＳＣＨのリソース割り当て情報を含む上りリンク送信許可信号（上りリンクグラント）を送信し、移動局装置は、上りリンク送信許可信号（上りリンクグラント）に含まれるリソース割り当て情報に従って、上りリンクデータ（例えば、上りユーザーデータ、上り制御データ）を、上りリンクのキャリア要素（ＵＣＣ−０、ＵＣＣ−１）それぞれのＰＵＳＣＨを使用して基地局装置に送信する。ここで、下りリンクのキャリア要素グループ（ＤＣＣＧ−０、ＤＣＣＧ−１）それぞれで送信されるＰＤＣＣＨとは、下りリンクのキャリア要素（すなわち、ＤＣＣＧ−０を構成するＤＣＣ−０、ＤＣＣ−１、ＤＣＣＧ−１を構成するＤＣＣ−２、ＤＣＣ−３、ＤＣＣ−４）それぞれで送信されるＰＤＣＣＨであっても良い。また、基地局装置は、上りリンクデータに対するＨＡＲＱのＡＣＫ／ＮＡＣＫを、上りリンクのキャリア要素に対応する下りリンクのキャリア要素グループ（ＤＣＣＧ−０、ＤＣＣＧ−１）それぞれのＰＨＩＣＨを使用して、移動局装置に送信する。
【０１２６】
ここで、基地局装置と移動局装置が、下りリンクのキャリア要素グループと上りリンクのキャリア要素を相互に対応させて通信する際の別の例（対応方法）について説明する。
【０１２７】
図６において、１００ＭＨｚの帯域幅を持つＤＬシステム帯域を、２０ＭＨｚの帯域幅を持つ基本周波数（ＢＦ）で分割して、下りリンクのキャリア要素（ＤＣＣ−０、ＤＣＣ−１、ＤＣＣ−２、ＤＣＣ−３、ＤＣＣ−４）を構成し、４０ＭＨｚの帯域幅を持つＵＬシステム帯域を、２０ＭＨｚの帯域幅を持つ基本周波数（ＢＦ）で分割して、上りリンクのキャリア要素（ＵＣＣ−０、ＵＣＣ−１）を構成した基地局装置と移動局装置は、構成した下りリンクのキャリア要素と上りリンクのキャリア要素を、上りリンクのキャリア要素ごとに互い違いに対応させて通信を行なっても良い。すなわち図６において、基地局装置と移動局装置は、下りリンクのキャリア要素グループＤＣＣＧ−０を、ＤＣＣ−０およびＤＣＣ−２およびＤＣＣ−４から構成し、ＤＣＣＧ−１をＤＣＣ−１およびＤＣＣ−３から構成し、ＤＣＣＧ−０とＵＣＣ−０、ＤＣＣＧ−１とＵＣＣ−１を相互に対応させて通信を行なってもよい。
【０１２８】
また、基地局装置は、上記までに記載したような下りリンクのキャリア要素グループと上りリンクのキャリア要素の対応方法を示す（指示する）情報（ＤＬシステム帯域から下りリンクのキャリア要素グループを構成する方法を示す（指示する）情報とも言える）を、無線資源制御信号（ＲＲＣシグナリング）を使用して移動局装置に対して設定しても良い。例えば、基地局装置は、下りリンクのキャリア要素グループを周波数が増加する方向（インデックスが増加する方向）に構成して、上りリンクのキャリア要素と対応させて通信を行なうのか、若しくは、下りリンクのキャリア要素と上りリンクのキャリア要素を、上りリンクのキャリア要素ごとに互い違いに対応させて通信を行なうのかを、移動局装置に対して設定することができる。
【０１２９】
ここで、図６に示す移動通信システムにおいて、下りリンクのキャリア要素（例えば、ＤＣＣ−０）と上りリンクのキャリア要素（例えば、ＵＣＣ−０）を使用して通信を行なうことができる能力を持った移動局装置は、下りリンクのキャリア要素グループに含まれるキャリア要素と上りリンクのキャリア要素を対応させて（例えば、ＤＣＣ−０とＵＣＣ−０を対応させて）通信を行なうことができる。
【０１３０】
具体的に、例を挙げて説明すると、下りリンクのキャリア要素グループ（ＤＣＣＧ−０、ＤＣＣＧ−１）と上りリンクのキャリア要素（ＵＣＣ−０、ＵＣＣ−１）を使用して通信を行なうことができる能力を持ったＬＴＥ−Ａ（リリース１０）端末は、下りリンクのキャリア要素グループと上りリンクのキャリア要素を対応させて（ＤＣＣＧ−０とＵＣＣ−０、ＤＣＣＧ−１とＵＣＣ−１を対応させて）通信を行なうことができ、また、下りリンクのキャリア要素（例えば、ＤＣＣ−０）と上りリンクのキャリア要素（ＵＣＣ−０）を使用して通信を行なうことができる能力を持ったＬＴＥ（リリース８）端末は、下りリンクのキャリア要素と上りリンクのキャリア要素を対応させて（例えば、ＤＣＣ−０とＵＣＣ−０を対応させて）通信を行なうことができる。
【０１３１】
さらに、下りリンクのキャリア要素グループ（ＤＣＣＧ−０、ＤＣＣＧ−１）と上りリンクのキャリア要素（ＵＣＣ−０、ＵＣＣ−１）を使用して通信を行なうことができる能力を持ったＬＴＥ−Ａ（リリース１０）端末の中のある特定の端末が、下りリンクのキャリア要素と上りリンクのキャリア要素を対応させて（例えば、ＤＣＣ−０とＵＣＣ−０を対応させて）通信を行なっても良い。
【０１３２】
図７は、第２の実施形態を適用可能な移動通信システムの別の例を示す図である。図７に示す移動通信システムでは、ＤＬシステム帯域が８０ＭＨｚの帯域幅を持った周波数帯域を示し、ＵＬシステム帯域が６０ＭＨｚの帯域幅を持った周波数帯域を示し、また、基本周波数（ＢＦ）として、２０ＭＨｚの帯域幅を持った周波数帯域が示されている。図７に示す移動通信システムは、ＤＬシステム帯域の帯域幅が、ＵＬシステム帯域の帯域幅よりも大きい（広い帯域幅を持った）移動通信システムである。
【０１３３】
図７において、基地局装置と移動局装置は、８０ＭＨｚの帯域幅を持つＤＬシステム帯域を、２０ＭＨｚの帯域幅を持つ基本周波数（ＢＦ）で分割して、下りリンクのキャリア要素（ＤＣＣ−０、ＤＣＣ−１、ＤＣＣ−２、ＤＣＣ−３）を構成する。ここで、下りリンクのキャリア要素は、それぞれ周波数が増加する方向にＤＣＣ−０、ＤＣＣ−１、ＤＣＣ−２、ＤＣＣ−３とインデックスされていることになる。また、基地局装置と移動局装置は、６０ＭＨｚの帯域幅を持つＵＬシステム帯域を、２０ＭＨｚの帯域幅を持つ基本周波数（ＢＦ）で分割して、上りリンクのキャリア要素（ＵＣＣ−０、ＵＣＣ−１、ＵＣＣ−２）を構成する。
【０１３４】
ここで、上りリンクのキャリア要素は、それぞれ周波数が増加する方向にＵＣＣ−０、ＵＣＣ−１、ＵＣＣ−２とインデックスされていることになる。また、図７に示す移動通信システムは、下りリンクのキャリア要素の数（ＤＣＣＮ）が４つであり、上りリンクキャリア要素の数（ＵＣＣＮ）の数が３つであり、下りリンクのキャリア要素の数が上りリンクのキャリア要素の数よりも多い移動通信システムである。
【０１３５】
図７において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、その比から、下りリンクの１つキャリア要素グループ数に含まれるキャリア要素の数（ＤＣＣＮｉｎＤＣＣＧ）“１（４／３＝１．３、小数点以下切り捨て）”を算出し、算出した値に基づいて、周波数が低い方から高い方に順番に（周波数が増加する方向に、インデックスが増加する方向に）、下りリンクのキャリア要素を連結（結合）し、下りリンクのキャリア要素グループを構成して、上りリンクのキャリア要素と対応させていく。
【０１３６】
図７では、下りリンクの１つのキャリア要素グループに含まれるキャリア要素の数は“１”であるので、基地局装置と移動局装置は、下りリンクのキャリア要素（ＤＣＣ−０、ＤＣＣ−１、ＤＣＣ−２、ＤＣＣ−３）を、周波数の低い方から高い方に順番に（周波数が増加する方向に、インデックスが増加する方向に）１つずつ連結（結合）して、上りリンクのキャリア要素（ＵＣＣ−０、ＵＣＣ−１、ＵＣＣ−２）と対応させられる。すなわち、下りリンクのキャリア要素ＤＣＣ−０と上りリンクのキャリア要素ＵＣＣ−０を対応させ、下りリンクのキャリア要素ＤＣＣ−１と上りリンクのキャリア要素ＵＣＣ−１を対応させ、下りリンクのキャリア要素ＤＣＣ−２、ＤＣＣ−３を含む下りリンクのキャリア要素グループＤＣＣＧ−０と上りリンクのキャリア要素ＵＣＣ−２を対応させる。
【０１３７】
ここで、下りリンクのシステム帯域を基本周波数（ＢＦ）で分割して余った下りリンクのキャリア要素は、周波数が低い側に隣接する下りリンクのキャリア要素（１つ前のインデックスが付与されている下りリンクのキャリア要素）、もしくは、周波数が低い側に隣接する下りリンクのキャリア要素を含んだキャリア要素グループ（１つ前のインデックスが付与されている下りリンクのキャリア要素が含まれているキャリア要素グループ）と連結（結合）されて、１つのキャリア要素グループとして纏められる。
【０１３８】
すなわち、図７では、下りリンクのシステム帯域を基本周波数（ＢＦ）で分割して余った下りリンクのキャリア要素ＤＣＣ−３が、周波数が低い側に隣接するキャリア要素（１つ前のインデックスが付与されているキャリア要素）ＤＣＣ−２と連結（結合）され、下りリンクのキャリア要素ＤＣＣ−２、ＤＣＣ−３を含んだ下りリンクのキャリア要素グループＤＣＣＧ−０が構成されて、上りリンクのキャリア要素（ＵＣＣ−２）と対応させられる。
【０１３９】
また、図７において、８０ＭＨｚの帯域幅を持つＤＬシステム帯域を、２０ＭＨｚの帯域幅を持つ基本周波数（ＢＦ）で分割して、下りリンクのキャリア要素（ＤＣＣ−０、ＤＣＣ−１、ＤＣＣ−２、ＤＣＣ−３）を構成し、６０ＭＨｚの帯域幅を持つＵＬシステム帯域を、２０ＭＨｚの帯域幅を持つ基本周波数（ＢＦ）で分割して、上りリンクのキャリア要素（ＵＣＣ−０、ＵＣＣ−１、ＵＣＣ−２）を構成した基地局装置と移動局装置は、構成した下りリンクのキャリア要素と上りリンクのキャリア要素を、上りリンクのキャリア要素ごとに互い違いに対応させて通信を行なっても良い。すなわち図７において、基地局装置と移動局装置は、下りリンクのキャリア要素グループＤＣＣＧ−０を、ＤＣＣ−０およびＤＣＣ−３から構成し、ＤＣＣＧ−０とＵＣＣ−０、ＤＣＣ−１とＵＣＣ−１、ＤＣＣ−２とＵＣＣ−２を相互に対応させて通信を行なってもよい。
【０１４０】
これにより、基地局装置と移動局装置は、図７で示すように、下りリンクのキャリア要素およびキャリア要素グループ（ＤＣＣ−０、ＤＣＣ−１、ＤＣＣＧ−０、若しくは、ＤＣＣＧ−０、ＤＣＣ−１、ＤＣＣ−２）と上りリンクのキャリア要素（ＵＣＣ−０、ＵＣＣ−１、ＵＣＣ−２）とを、相互に対応させて（ＤＣＣ−０とＵＣＣ−０、ＤＣＣ−１とＵＣＣ−１、ＤＣＣＧ−０とＵＣＣ−２、若しくは、ＤＣＣＧ−０とＵＣＣ−０、ＤＣＣ−１とＵＣＣ−１、ＤＣＣ−２とＵＣＣ−２を対応させて）通信を行なうことができる。
【０１４１】
図８は、第２の実施形態を適用可能な移動通信システムの別の例を示す図である。図８に示す移動通信システムでは、ＤＬシステム帯域が４０ＭＨｚの帯域幅を持った周波数帯域を示し、ＵＬシステム帯域が１００ＭＨｚの帯域幅を持った周波数帯域を示し、また、基本周波数（ＢＦ）として、２０ＭＨｚの帯域幅を持った周波数帯域が示されている。図８に示す移動通信システムは、ＵＬシステム帯域の帯域幅が、ＤＬシステム帯域の帯域幅よりも大きい（広い帯域幅を持った）移動通信システムである。
【０１４２】
図８において、基地局装置と移動局装置は、４０ＭＨｚの帯域幅を持つＤＬシステム帯域を、２０ＭＨｚの帯域幅を持つ基本周波数（ＢＦ）で分割して、下りリンクのキャリア要素（ＤＣＣ−０、ＤＣＣ−１）を構成する。ここで、下りリンクのキャリア要素は、それぞれ周波数が増加する方向にＤＣＣ−０、ＤＣＣ−１とインデックスされていることになる。また、基地局装置と移動局装置は、１００ＭＨｚの帯域幅を持つＵＬシステム帯域を、２０ＭＨｚの帯域幅を持つ基本周波数（ＢＦ）で分割して、上りリンクのキャリア要素（ＵＣＣ−０、ＵＣＣ−１、ＵＣＣ−２、ＵＣＣ−３、ＵＣＣ−４）を構成する。
【０１４３】
ここで、上りリンクのキャリア要素は、それぞれ周波数が増加する方向にＵＣＣ−０、ＵＣＣ−１、ＵＣＣ−２、ＵＣＣ−３、ＵＣＣ−４とインデックスされていることになる。また、図８に示す移動通信システムは、下りリンクのキャリア要素の数（ＤＣＣＮ）が２つであり、上りリンクキャリア要素の数（ＵＣＣＮ）の数が５つであり、上りリンクのキャリア要素の数が下りリンクのキャリア要素の数よりも多い移動通信システムである。
【０１４４】
図８において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、その比から、上りリンクの１つのキャリア要素グループに含まれるキャリア要素の数（ＵＣＣＮｉｎＵＣＣＧ：Uplink Carrier Component Number in Uplink Carrier Component Group、Uplink Component Carrier Number in Uplink Component Carrier Groupとも呼称する）を算出する。すなわち、基地局装置と移動局装置は、下りリンクのキャリア要素の数“２”と、上りリンクのキャリア要素の数“５”から、上りリンクの１つのキャリア要素グループに含まれるキャリア要素の数（ＵＣＣＮｉｎＵＣＣＧ）“２（５／２＝２．５、小数点以下切り捨て）”を算出し、上りリンクの１つのキャリア要素グループを、“２つ”のキャリア要素によって構成する（“２つ”のキャリア要素から１つのキャリア要素グループを構成する）。
【０１４５】
基地局装置と移動局装置は、上りリンクのキャリア要素の数が、下りリンクのキャリア要素の数よりも多い場合、“上りリンクのキャリア要素の数（ＵＣＣＮ）／下りリンクキャリア要素の数（ＤＣＣＮ）”から、上りリンクの１つのキャリア要素グループに含まれるキャリア要素の数（ＵＣＣＮｉｎＵＣＣＧ）を算出する。
【０１４６】
上りリンクの１つのキャリア要素グループに含まれるキャリア要素の数を、下りリンクのキャリア要素の数と上りリンクのキャリア要素の数から算出した基地局装置と移動局装置は、周波数が低い方から高い方に順番に（周波数が増加する方向に、インデックスが増加する方向に）、上りリンクのキャリア要素を連結（結合）して上りリンクのキャリア要素グループを構成し、下りリンクのキャリア要素と対応させていく。
【０１４７】
図８では、上りリンクの１つのキャリア要素グループに含まれる上りリンクのキャリア要素の数は“２”であるので、基地局装置と移動局装置は、上りリンクのキャリア要素（ＵＣＣ−０、ＵＣＣ−１、ＵＣＣ−２、ＵＣＣ−３、ＵＣＣ−４）を、周波数の低い方から高い方に順番に（周波数が増加する方向に、インデックスが増加する方向に）２つずつ連結（結合）し、上りリンクのキャリア要素グループ（ＵＣＣＧ−０、ＵＣＣＧ−１）を構成し、下りリンクのキャリア要素（ＤＣＣ−０、ＤＣＣ−１）と、対応させていく。すなわち、上りリンクのキャリア要素ＵＣＣ−０、ＵＣＣ−１から、上りリンクのキャリア要素グループＵＣＣＧ−０を構成し（ＵＣＣ−０、ＵＣＣ−１を含んだＵＣＣＧ−１を構成し）、下りリンクのキャリア要素ＤＣＣ−０と対応させ、上りリンクのキャリア要素ＵＣＣ−２、ＵＣＣ−３から、上りリンクのキャリア要素グループＵＣＣＧ−１を構成し（ＵＣＣ−２、ＵＣＣ−３を含んだＤＣＣＧ−１を構成し）、下りリンクのキャリア要素ＤＣＣ−１と対応させる。
【０１４８】
ここで、上りリンクのシステム帯域を基本周波数（ＢＦ）で分割して余った上りリンクのキャリア要素は、周波数が低い側に隣接する上りリンクのキャリア要素（１つ前のインデックスが付与されている上りリンクのキャリア要素）、もしくは、周波数が低い側に隣接する上りリンクのキャリア要素を含んだキャリア要素グループ（１つ前のインデックスが付与されている上りリンクのキャリア要素が含まれているキャリア要素グループ）と連結（結合）されて、１つのキャリア要素グループとして纏められる。
【０１４９】
すなわち、図８では、上りリンクのシステム帯域を基本周波数（ＢＦ）で分割して余った上りリンクのキャリア要素ＵＣＣ−４が、周波数が低い側に隣接する下りリンクのキャリア要素（ＵＣＣ−３）を含んだキャリア要素グループ（１つ前のインデックスが付与されている下りリンクのキャリア要素ＵＣＣ−３を含んだキャリア要素グループ）ＵＣＣＧ−１と連結（結合）され、上りリンクのキャリア要素ＵＣＣ−２、ＵＣＣ−３、ＵＣＣ−４を含んだ下りリンクのキャリア要素グループＵＣＣＧ−１が構成されて、下りリンクのキャリア要素（ＤＣＣ−１）と対応させられる。
【０１５０】
ここで、基地局装置と移動局装置が、下りリンクのキャリア要素と上りリンクのキャリア要素グループを相互に対応させて通信する際の別の例（対応方法）について説明する。
【０１５１】
図８において、４０ＭＨｚの帯域幅を持つＤＬシステム帯域を、２０ＭＨｚの帯域幅を持つ基本周波数（ＢＦ）で分割して、下りリンクのキャリア要素（ＤＣＣ−０、ＤＣＣ−１）を構成し、１００ＭＨｚの帯域幅を持つＵＬシステム帯域を、２０ＭＨｚの帯域幅を持つ基本周波数（ＢＦ）で分割して、上りリンクのキャリア要素（ＵＣＣ−０、ＵＣＣ−１、ＵＣＣ−２、ＵＣＣ−３，ＵＣＣ−４）を構成した基地局装置と移動局装置は、構成した下りリンクのキャリア要素と上りリンクのキャリア要素を、下りリンクのキャリア要素ごとに互い違いに対応させて通信を行なっても良い。すなわち図８において、基地局装置と移動局装置は、上りリンクのキャリア要素グループＵＣＣＧ−０を、ＵＣＣ−０およびＵＣＣ−２およびＵＣＣ−４から構成し、ＵＣＣＧ−１をＵＣＣ−１およびＵＣＣ−３から構成し、ＤＣＣ−０とＵＣＣＧ−０、ＤＣＣ−１とＵＣＣＧ−１を相互に対応させて通信を行なってもよい。
【０１５２】
また、基地局装置は、上記までに記載したような下りリンクのキャリア要素と上りリンクのキャリア要素グループの対応方法を示す（指示する）情報（ＵＬシステム帯域から上りリンクのキャリア要素グループを構成する方法を示す（指示する）情報とも言える）を、無線資源制御信号（ＲＲＣシグナリング）を使用して移動局装置に対して設定しても良い。例えば、基地局装置は、上りリンクのキャリア要素グループを周波数が増加する方向（インデックスが増加する方向）に構成して、下りリンクのキャリア要素と対応させて通信を行なうのか、若しくは、下りリンクのキャリア要素と上りリンクのキャリア要素を、下りリンクのキャリア要素ごとに互い違いに対応させて通信を行なうのかを、移動局装置に対して設定することができる。
【０１５３】
これにより、基地局装置と移動局装置は、図８で示すように、下りリンクのキャリア要素（ＤＣＣ−０、ＤＣＣ−１）と上りリンクのキャリア要素グループ（ＵＣＣＧ−０、ＵＣＣＧ−１）とを、相互に対応させて（ＤＣＣ−０とＵＣＣＧ−０、ＤＣＣ−１とＵＣＣＧ−１を対応させて）通信を行なうことができる。
【０１５４】
ここで、図８で示す移動通信システムおいて、基地局装置と移動局装置が通信を行なう際に、上りリンクのキャリア要素グループ（ＵＣＣＧ−０、ＵＣＣＧ−１）に含まれる一部の上りリンクのキャリア要素（ここでは、例として、ＵＣＣ−１、ＵＣＣ−３、ＵＣＣ−４を一部のキャリア要素とする）を使用して送信できる上りリンクの情報と、一部の上りリンクのキャリア要素（ＵＣＣ−１、ＵＣＣ−３、ＵＣＣ−４）に配置された上りリンクのチャネルを使用することができる移動局装置について、図９を使用して説明する。図９は、図８と同様の移動通信システムを示す図である。
【０１５５】
上記で記載した通り、図９に示す移動通信システムでは、基地局装置と移動局装置は、ＤＬシステム帯域およびＵＬシステム帯域から、下りリンクのキャリア要素および上りリンクのキャリア要素グループを構成し、それらを相互に対応させて通信を行なう。この際、基地局装置と移動局装置は、上りリンクのキャリア要素グループ（ＵＣＣＧ−０、ＵＣＣＧ−１）に含まれる一部の上りリンクのキャリア要素（ＵＣＣ−１、ＵＣＣ−３、ＵＣＣ−４）で送信できる上りリンクの情報を制限して、通信を行なうことができる。
【０１５６】
図９は、基地局装置と移動局装置が上りリンクの情報を送信する際に使用する物理上りリンク共用チャネル（以下、ＰＵＳＣＨ、左上がりの斜線で示される）および物理上りリンク制御チャネル（以下、ＰＵＣＣＨ、右上がりの斜線で示される）を示す図である。ここでは、例として、ＰＵＳＣＨおよびＰＵＣＣＨを記載しているが、その他の上りリンクのチャネルについても、同様に仕様等で定義され、ＵＬシステム帯域に配置される。図９では、ＰＵＣＣＨは、上りリンクのキャリア要素（ＵＣＣ−０、ＵＣＣ−１、ＵＣＣ−２、ＵＣＣ−３、ＵＣＣ−４）それぞれの両端部分（エッジ部分）に分散して配置するように記載している。
【０１５７】
基地局装置と移動局装置は、図９の点線で示されるように、上りリンクのキャリア要素グループ（ＵＣＣＧ−０、ＵＣＣＧ−１）に含まれる一部の上りリンクのキャリア要素（ＵＣＣ−１、ＵＣＣ−３、ＵＣＣ−４）に配置された上りリンクのチャネル（例えば、ＰＵＳＣＨ、ＰＵＣＣＨ、ＰＲＡＣＨなど）で送信できる情報を制限して、通信を行なうことができる。例えば、移動局装置は、一部の上りリンクのキャリア要素（ＵＣＣ−１、ＵＣＣ−３、ＵＣＣ−４）に配置されたＰＵＣＣＨで送信できる情報を制限し、ダイナミック（動的）にスケジューリングされたＰＤＳＣＨに対するＡＣＫ／ＮＡＣＫは送信しない。
【０１５８】
すなわち、移動局装置は、ダイナミック（動的）にスケジューリングされたＰＤＳＣＨに対するＡＣＫ／ＮＡＣＫを、送信できる情報を制限していない上りリンクのキャリア要素（ＵＣＣ−０、ＵＣＣ−２）のＰＵＣＣＨのみで送信し、送信できる情報を制限している上りリンクのキャリア要素（ＵＣＣ−１、ＵＣＣ−３、ＵＣＣ−４）のＰＵＣＣＨでは、その他の情報（例えば、セミパーシステント（準持続的）にスケジューリングされたＰＤＳＣＨに対するＡＣＫ／ＮＡＣＫや、チャネル状態情報（ＣＱＩ、ＰＭＩ、ＲＩ）や、スケジューリング要求（ＳＲ）など）を送信する。
【０１５９】
ここで、上記に記載した移動通信システムと同様に、図９に示す移動通信システムでは、例えば、下りリンクのキャリア要素と上りリンクのキャリア要素を対応させて通信を行なうことができる能力を持ったＬＴＥ（リリース８）端末は、下りリンクのキャリア要素と上りリンクのキャリア要素を対応させて（例えば、ＤＣＣ−０とＵＣＣ−０を対応させて）通信を行なう。また、下りリンクのキャリア要素（例えば、ＤＣＣ−０）と上りリンクのキャリア要素グループ（ＵＣＣＧ−０）を対応させて通信を行なうことができる能力を持ったＬＴＥ−Ａ（リリース１０）端末は、下りリンクのキャリア要素と上りリンクのキャリア要素グループを対応させて（例えば、ＤＣＣ−０とＵＣＣＧ−０を対応させて）通信を行なう。
【０１６０】
すなわち、図９に示す移動通信システムにおいて、例えば、ＬＴＥ（リリース８）端末は、下りリンクのキャリア要素（ＤＣＣ−０）に対応する上りリンクのキャリア要素（ＵＣＣ−０）のＰＵＣＣＨを使用して、ダイナミック（動的）にスケジューリングされたＰＤＳＣＨに対するＡＣＫ／ＮＡＣＫや、セミパーシステント（準持続的）にスケジューリングされたＰＤＳＣＨに対するＡＣＫ／ＮＡＣＫや、チャネル状態情報（ＣＱＩ、ＰＭＩ、ＲＩ）や、スケジューリング要求（ＳＲ）などを基地局装置に送信する。
【０１６１】
一方、ＬＴＥ−Ａ（リリース１０）端末は、上りリンクのキャリア要素グループ（ＵＣＣＧ−０、ＵＣＣＧ−１）に含まれる一部のキャリア要素（送信できる情報が制限されていないキャリア要素、例えば、ＵＣＣ−０）のＰＵＣＣＨを使用して、ダイナミック（動的）にスケジューリングされたＰＤＳＣＨに対するＡＣＫ／ＮＡＣＫを基地局装置に送信する。この際、ＬＴＥ−Ａ（リリース１０）端末は、ＬＴＥ（リリース８）端末が、下りリンクのキャリア要素（ＤＣＣ−０）と上りリンクのキャリア要素（ＵＣＣ−０）を対応させて、ダイナミック（動的）にスケジューリングされたＰＤＳＣＨに対するＡＣＫ／ＮＡＣＫを送信する際に使用した枠組み（仕組み）と、同様の枠組み（仕組み）を用いて、ダイナミック（動的）にスケジューリングされたＰＤＳＣＨに対するＡＣＫ／ＮＡＣＫを基地局装置に送信することができる。
【０１６２】
さらに、ＬＴＥ−Ａ（リリース１０）端末は、上りリンクのキャリア要素グループ（ＵＣＣＧ−０、ＵＣＣＧ−１）に含まれる一部のキャリア要素（送信できる情報を制限したキャリア要素、例えば、ＵＣＣ−１）のＰＵＣＣＨを使用して、セミパーシステント（準持続的）にスケジューリングされたＰＤＳＣＨに対するＡＣＫ／ＮＡＣＫや、チャネル状態情報（ＣＱＩ、ＰＭＩ、ＲＩ）や、スケジューリング要求（ＳＲ）などの情報を基地局装置に送信する。
【０１６３】
このように、基地局装置と移動局装置が、上りリンクのキャリア要素グループに含まれる一部の上りリンクのキャリア要素において、異なる用途（目的、意図）のために送信される情報を制限することによって、異なる能力を持った移動局装置が、ある用途（目的、意図）のために送信される情報を、同一のキャリア要素内（例えば、ＵＣＣ−０）で、同様の枠組み（仕組み）を用いて送信し、別の用途（目的、意図）のために送信される情報を、異なるキャリア要素間（例えば、ＵＣＣ−０、ＵＣＣ−１）で、送信することが可能となり、異なる能力を持った移動局装置を、同じ移動通信システムで、より親和性を持って共存させることが可能となる。
【０１６４】
また、図９に示す移動通信システムにおいて、上りリンクのキャリア要素グループ（ＵＣＣＧ−０、ＵＣＣＧ−１）に含まれる一部の上りリンクのキャリア要素（ＵＣＣ−１、ＵＣＣ−３、ＵＣＣＧ−４）に配置された上りリンクのチャネルを使用することができる移動局装置が制限されても良い。
【０１６５】
すなわち、図９の移動通信システムにおいて、一部の上りリンクのキャリア要素（ＵＣＣ−１、ＵＣＣ−３、ＵＣＣ−４）に配置された上りリンクのチャネル（例えば、ＰＵＳＣＨ、ＰＵＣＣＨ、ＰＲＡＣＨなど）を使用できる移動局装置を、例えば、ＬＴＥ−Ａ（リリース９、リリース１０）端末のみに制限することができる。
【０１６６】
これにより、ＬＴＥ（リリース８）端末は、限られた下りリンクのキャリア要素と上りリンクのキャリア要素の組み合わせ（ＤＣＣ−０とＵＣＣ−０、ＤＣＣ−１とＤＣＣ−２の組み合わせ）のみを使用して通信を行なうこととなり（すなわち、ＤＣＣ−０とＵＣＣ−１、ＤＣＣ−１とＵＣＣ−３、ＤＣＣ−１とＵＣＣ−４を対応させて通信を行なうＬＴＥ（リリース８）端末が存在しない）、ＬＴＥ−Ａ（リリース９、リリース１０）端末を、ＵＣＣ−１、ＵＣＣ−３、ＵＣＣ−４に優先的に割り当てることが可能となり、異なる能力を持った移動局装置を、同じ移動通信システムで、より効率的に共存させることが可能となる。
【０１６７】
上記までに示したように、第２の実施形態では、基地局装置と移動局装置が、下りリンクのキャリア要素と上りリンクのキャリア要素を複合的に使用して、広帯域なシステム帯域として運用し、通信を行なう際に、下りリンクのシステム帯域を基本周波数（ＢＦ）で分割して、複数の下りリンクのキャリア要素を構成し、上りリンクのシステム帯域を基本周波数（ＢＦ）で分割して、複数の上りリンクのキャリア要素を構成し、下りリンクのシステム帯域を分割することにより得られた下りリンクのキャリア要素の数と、上りリンクのシステム帯域を分割することにより得られた上りリンクのキャリア要素の数との比から、下りリンクのキャリア要素グループもしくは上りリンクのキャリア要素グループを構成し、下りリンクのキャリア要素および／またはキャリア要素グループと上りリンクのキャリア要素および／またはキャリア要素グループを、相互に対応させて通信を行なうことにより、下りリンクのシステム帯域および上りリンクのシステム帯域から、容易に下りリンクのキャリア要素／キャリア要素グループおよび／もしくは上りリンクのキャリア要素／キャリア要素グループを構成し、それらを利用して、効率的な通信（情報の送受信）を実現することができる。
【０１６８】
さらに、基地局装置が、下りリンクで送信される情報（例えば、下りユーザーデータ）に対応した上りリンクの情報（例えば、下りユーザーデータに対するＨＡＲＱのＡＣＫ／ＮＡＣＫ）を、上りリンクのどのキャリア要素および／またはキャリア要素グループを使用して送信するのかを指示する制御信号（制御情報）を送信する必要がなくなり、無線リソースを効率的に使用した通信（情報の送受信）を行なうことができる。
【０１６９】
（第３の実施形態）
次に、本発明の第３の実施形態について説明する。本発明の第３の実施形態は、第１の実施形態および第２の実施形態と同様に、下りリンクのキャリア要素および上りリンクのキャリア要素を複合的に使用し、広帯域なシステム帯域として運用し、通信する移動通信システム、基地局装置、および、移動局装置に適用可能である。以下、第１の実施形態および２の実施形態で記載した内容と同様な部分は省略する。
【０１７０】
第３の実施形態における基地局装置と移動局装置は、下りリンクのシステム帯域（ＤＬシステム帯域）を基本周波数（ＢＦ）（基本周波数帯域幅（ＢＦＢ）とも呼称する）で分割して、複数の下りリンクのキャリア要素を構成し、上りリンクのシステム帯域（ＵＬシステム帯域）を基本周波数（ＢＦ）で分割して、複数の上りリンクのキャリア要素を構成し、この際、下りリンクのキャリア要素の数と上りリンクのキャリア要素の数とが等しく、且つ、ＤＬシステム帯域に基本周波数に満たない下りリンクのキャリア要素が含まれ、且つ、ＵＬシステム帯域に基本周波数に満たない上りリンクのキャリア要素が含まれていた場合には、基本周波数に満たない下りリンクのキャリア要素と上りリンクのキャリア要素を、相互に対応させて通信を行なうことができる。
【０１７１】
さらに、この際、下りリンクのキャリア要素の数が上りリンクのキャリア要素の数よりも大きく、且つ、ＵＬシステム帯域に基本周波数に満たない上りリンクのキャリア要素が含まれる場合、下りリンクのキャリア要素と基本周波数に満たない上りリンクのキャリア要素を、相互に対応させて通信を行なうことができる。
【０１７２】
さらに、この際、下りリンクのキャリア要素の数が上りリンクのキャリア要素の数よりも大きく、且つ、ＤＬシステム帯域に基本周波数に満たない下りリンクのキャリア要素が含まれる場合、基本周波数に満たない下りリンクのキャリア要素を、隣接する下りリンクのキャリア要素、もしくは、隣接する下りリンクのキャリア要素を含むキャリア要素グループと連結して下りリンクのキャリア要素グループを構成し、構成した下りリンクのキャリア要素グループと上りリンクのキャリア要素を相互に対応させて通信を行なうことができる。
【０１７３】
さらに、この際、上りリンクのキャリア要素の数が下りリンクのキャリア要素の数よりも大きく、且つ、ＤＬシステム帯域に基本周波数に満たない下りリンクのキャリア要素が含まれる場合、上りリンクのキャリア要素と基本周波数に満たない下りリンクのキャリア要素を相互に対応させて通信を行なうことができる。
【０１７４】
さらに、この際、上りリンクのキャリア要素の数が下りリンクのキャリア要素の数よりも大きく、且つ、ＵＬシステム帯域に基本周波数に満たない上りリンクのキャリア要素が含まれる場合、基本周波数に満たない上りリンクのキャリア要素を、隣接する上りリンクのキャリア要素、もしくは、隣接する上りリンクのキャリア要素を含むキャリア要素グループと連結して上りリンクのキャリア要素グループを構成し、構成した上りリンクのキャリア要素グループと下りリンクのキャリア要素を相互に対応させて通信を行なうことができる。
【０１７５】
図１０は、第３の実施形態を適用可能な移動通信システムの例を示す図である。図１０に示す移動通信システムでは、ＤＬシステム帯域が７０ＭＨｚの帯域幅を持った周波数帯域を示し、ＵＬシステム帯域が７０ＭＨｚの帯域幅を持った周波数帯域を示し、また、基本周波数（ＢＦ）として、２０ＭＨｚの帯域幅を持った周波数帯域が示されている。ここで、図１０に示す移動通信システムは、ＤＬシステム帯域の帯域幅とＵＬシステム帯域の帯域幅が同じ（等しい）移動通信システムであり、また、ＤＬシステム帯域およびＵＬシステム帯域を、それぞれ基本周波数（ＢＦ）で分割すると、ＤＬシステム帯域、ＵＬシステム帯域ともに余りが生じてしまい（ＤＬシステム帯域、ＵＬシステム帯域ともに基本周波数２０ＭＨｚで分割しきれずに）、基本周波数（ＢＦ）に満たない下りリンクのキャリア要素および上りリンクのキャリア要素が含まれる移動通信システムである。
【０１７６】
図１０において、基地局装置と移動局装置は、７０ＭＨｚの帯域幅を持つＤＬシステム帯域を、２０ＭＨｚの帯域幅を持つ基本周波数（ＢＦ）で分割して、下りリンクのキャリア要素（ＤＣＣ−０、ＤＣＣ−１、ＤＣＣ−２、ＤＣＣ−３）を構成する。この際、基地局装置と移動局装置は、ＤＬシステム帯域を基本周波数（ＢＦ）で分割しきれなかった余りの下りリンクのキャリア要素（この例では、７０ＭＨｚを２０ＭＨｚで分割することにより得られた１０ＭＨｚの帯域幅を持つ下りリンクのキャリア要素）を、他の下りリンクのキャリア要素（基本周波数（ＢＦ）で分割できた下りリンクのキャリア要素、この例では、７０ＭＨｚを２０ＭＨｚで分割することにより得られた２０ＭＨｚの帯域幅を持つ３つの下りリンクのキャリア要素）よりも前に（先に）インデックスする。
【０１７７】
すなわち、図１０に示すように、基地局装置と移動局装置は、ＤＬシステム帯域を基本周波数（ＢＦ）で分割することにより得られた１０ＭＨｚの帯域幅を持つ下りリンクのキャリア要素を、他の下りリンクのキャリア要素よりに前に（先に）ＤＣＣ−０とインデックスし、続いて、２０ＭＨｚの帯域幅を持つ３つの下りリンクのキャリア要素を周波数が増加する方向に、ＤＣＣ−１、ＤＣＣ−２、ＤＣＣ−３とインデックスする。
【０１７８】
また、基地局装置と移動局装置は、７０ＭＨｚの帯域幅を持つＵＬシステム帯域を、２０ＭＨｚの帯域幅を持つ基本周波数（ＢＦ）で分割して、上りリンクのキャリア要素（ＵＣＣ−０、ＵＣＣ−１、ＵＣＣ−２、ＵＣＣ−３）を構成する。この際、基地局装置と移動局装置は、ＵＬシステム帯域を基本周波数（ＢＦ）で分割しきれなかった余りの上りリンクのキャリア要素（この例では、７０ＭＨｚを２０ＭＨｚで分割することにより得られた１０ＭＨｚの帯域幅を持つ上りリンクのキャリア要素）を、他の上りリンクのキャリア要素（基本周波数（ＢＦ）で分割できた上りリンクのキャリア要素、この例では、７０ＭＨｚを２０ＭＨｚで分割することにより得られた２０ＭＨｚの帯域幅を持つ３つの上りリンクのキャリア要素）よりも前に（先に）インデックスする。
【０１７９】
すなわち、図１０に示すように、基地局装置と移動局装置は、ＵＬシステム帯域を基本周波数（ＢＦ）で分割することにより得られた１０ＭＨｚの帯域幅を持つ上りリンクのキャリア要素を、他の上りリンクのキャリア要素よりに前に（先に）ＵＣＣ−０とインデックスし、続いて、２０ＭＨｚの帯域幅を持つ３つの上りリンクのキャリア要素を周波数が増加する方向に、ＵＣＣ−１、ＵＣＣ−２、ＵＣＣ−３とインデックスする。
【０１８０】
ここで、図１０に示す移動通信システムは、下りリンクのキャリア要素の数（ＤＣＣＮ）が４つであり、上りリンクキャリア要素の数（ＵＣＣＮ）の数が４つであり、下りリンクのキャリア要素の数と上りリンクのキャリア要素の数が同じ（等しい）数を持つ移動通信システムである。
【０１８１】
ＤＬシステム帯域およびＵＬシステム帯域を基本周波数（ＢＦ）で分割することによって、下りリンクのキャリア要素および上りリンクのキャリア要素を構成し、それらを上記のようにインデックスした基地局装置と移動局装置は、図９に示すように、下りリンクのキャリア要素および上りリンクのキャリア要素を、相互に対応させて通信を行なう。
【０１８２】
図１１は、第３の実施形態を適用可能な移動通信システムの別の例を示している。図１１に示す移動通信システムでは、ＤＬシステム帯域が８０ＭＨｚの帯域幅を持った周波数帯域を示し、ＵＬシステム帯域が７０ＭＨｚの帯域幅を持った周波数帯域を示し、また、基本周波数（ＢＦ）として、２０ＭＨｚの帯域幅を持った周波数帯域が示されている。ここで、図１１に示す移動通信システムは、ＤＬシステム帯域の帯域幅がＵＬシステム帯域の帯域幅よりも大きい（広い帯域幅を持った）移動通信システムであり、また、ＤＬシステム帯域およびＵＬシステム帯域を、それぞれ基本周波数（ＢＦ）で分割すると、ＵＬシステム帯域に余りが生じてしまい（ＵＬシステム帯域を基本周波数２０ＭＨｚで分割しきれずに）、基本周波数（ＢＦ）に満たない上りリンクのキャリア要素が含まれる移動通信システムである。
【０１８３】
図１１において、基地局装置と移動局装置は、８０ＭＨｚの帯域幅を持つＤＬシステム帯域を、２０ＭＨｚの帯域幅を持つ基本周波数（ＢＦ）で分割して、下りリンクのキャリア要素を構成し、図１１に示すように、周波数が増加する方向にインデックス（ＤＣＣ−０、ＤＣＣ−１、ＤＣＣ−２、ＤＣＣ−３）する。また、基地局装置と移動局装置は、７０ＭＨｚの帯域幅を持つＵＬシステム帯域を、２０ＭＨｚの帯域幅を持つ基本周波数（ＢＦ）で分割して、上りリンクのキャリア要素（ＵＣＣ−０、ＵＣＣ−１、ＵＣＣ−２、ＵＣＣ−３）を構成する。この際、基地局装置と移動局装置は、ＵＬシステム帯域を基本周波数（ＢＦ）で分割しきれなかった余りの上りリンクのキャリア要素（この例では、７０ＭＨｚを２０ＭＨｚで分割することにより得られた１０ＭＨｚの帯域幅を持つ上りリンクのキャリア要素）を、他の上りリンクのキャリア要素（この例では、７０ＭＨｚを２０ＭＨｚで分割することにより得られた２０ＭＨｚの帯域幅を持つ３つの上りリンクのキャリア要素）よりも前に（先に）インデックスする。
【０１８４】
すなわち、図１１に示すように、基地局装置と移動局装置は、ＵＬシステム帯域を基本周波数（ＢＦ）で分割することにより得られた１０ＭＨｚの帯域幅を持つ上りリンクのキャリア要素を、他の上りリンクのキャリア要素よりに前に（先に）ＵＣＣ−０とインデックスし、続いて、２０ＭＨｚの帯域幅を持つ３つの上りリンクのキャリア要素を周波数が増加する方向に、ＵＣＣ−１、ＵＣＣ−２、ＵＣＣ−３とインデックスする。
【０１８５】
ここで、図１１に示す移動通信システムは、下りリンクのキャリア要素の数（ＤＣＣＮ）が４つであり、上りリンクキャリア要素の数（ＵＣＣＮ）の数が４つであり、下りリンクのキャリア要素の数と上りリンクのキャリア要素の数が同じ（等しい）数を持つ移動通信システムである。
【０１８６】
ＤＬシステム帯域およびＵＬシステム帯域を基本周波数（ＢＦ）で分割することによって、下りリンクのキャリア要素および上りリンクのキャリア要素を構成し、それらを上記のようにインデックスした基地局装置と移動局装置は、図１１に示すように、下りリンクのキャリア要素および上りリンクのキャリア要素を、相互に対応させて通信を行なう。
【０１８７】
図１２は、第３の実施形態を適用可能な移動通信システムの別の例を示している。図１２に示す移動通信システムでは、ＤＬシステム帯域が８０ＭＨｚの帯域幅を持った周波数帯域を示し、ＵＬシステム帯域が５０ＭＨｚの帯域幅を持った周波数帯域を示し、また、基本周波数（ＢＦ）として、２０ＭＨｚの帯域幅を持った周波数帯域が示されている。図１２に示す移動通信システムは、ＤＬシステム帯域の帯域幅がＵＬシステム帯域の帯域幅よりも大きい（広い帯域幅を持った）移動通信システムであり、また、ＤＬシステム帯域およびＵＬシステム帯域を、それぞれ基本周波数（ＢＦ）で分割すると、ＵＬシステム帯域に余りが生じてしまい（ＵＬシステム帯域を基本周波数２０ＭＨｚで分割しきれずに）、基本周波数（ＢＦ）に満たない上りリンクのキャリア要素が含まれる移動通信システムである。
【０１８８】
図１２において、基地局装置と移動局装置は、８０ＭＨｚの帯域幅を持つＤＬシステム帯域を、２０ＭＨｚの帯域幅を持つ基本周波数（ＢＦ）で分割して、下りリンクのキャリア要素を構成し、図１２に示すように、周波数が増加する方向にインデックス（ＤＣＣ−０、ＤＣＣ−１、ＤＣＣ−２、ＤＣＣ−３）する。また、基地局装置と移動局装置は、５０ＭＨｚの帯域幅を持つＵＬシステム帯域を、２０ＭＨｚの帯域幅を持つ基本周波数（ＢＦ）で分割して、上りリンクのキャリア要素（ＵＣＣ−０、ＵＣＣ−１、ＵＣＣ−２）を構成する。この際、基地局装置と移動局装置は、ＵＬシステム帯域を基本周波数（ＢＦ）で分割しきれなかった余りの上りリンクのキャリア要素（この例では、５０ＭＨｚを２０ＭＨｚで分割することにより得られた１０ＭＨｚの帯域幅を持つ上りリンクのキャリア要素）を、他の上りリンクのキャリア要素（この例では、５０ＭＨｚを２０ＭＨｚで分割することにより得られた２０ＭＨｚの帯域幅を持つ２つの上りリンクのキャリア要素）よりも前に（先に）インデックスする。
【０１８９】
すなわち、図１２に示すように、基地局装置と移動局装置は、ＵＬシステム帯域を基本周波数（ＢＦ）で分割することにより得られた１０ＭＨｚの帯域幅を持つ上りリンクのキャリア要素を、他の上りリンクのキャリア要素よりに先にＵＣＣ−０とインデックスし、続いて、２０ＭＨｚの帯域幅を持つ２つの上りリンクのキャリア要素を周波数が増加する方向に、ＵＣＣ−１、ＵＣＣ−２とインデックスする。
【０１９０】
ここで、図１２に示す移動通信システムは、下りリンクのキャリア要素の数（ＤＣＣＮ）が４つであり、上りリンクのキャリア要素の数（ＵＣＣＮ）が３つであり、下りリンクのキャリア要素の数が上りリンクのキャリア要素の数よりも大きい（多い）移動通信システムである。
【０１９１】
図１２において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、その比から、下りリンクの１つのキャリア要素グループに含まれるキャリア要素の数（ＤＣＣＮｉｎＤＣＣＧ）“１（４／３＝１．３、小数点以下切り捨て）”を算出し、算出した値に基づいて、周波数が低い方から高い方に順番に（周波数が増加する方向に、インデックスが増加する方向に）、下りリンクのキャリア要素を連結（結合）し、下りリンクのキャリア要素グループを構成して、上りリンクのキャリア要素と対応させていく。また、分割しきれずに余った下りリンクのキャリア要素は、周波数が低い側に隣接する下りリンクのキャリア要素、もしくは、周波数が低い側に隣接する下りリンクのキャリア要素を含んだキャリア要素グループと連結（結合）されて、１つのキャリア要素グループとして纏められる。
【０１９２】
すなわち、基地局装置と移動局装置は、下りリンクのキャリア要素および下りリンクのキャリア要素グループと上りリンクのキャリア要素を、図１２に示すように対応させ（ＤＣＣ−０とＵＣＣ−０、ＤＣＣ−１とＵＣＣ−１、ＤＣＣＧ−０とＵＣＣ−２を対応させ）、通信を行なうことができる。
【０１９３】
また、図１２において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、構成した下りリンクのキャリア要素と上りリンクのキャリア要素を、上りリンクのキャリア要素ごとに互い違いに対応させて通信を行なっても良い。すなわち図１２において、基地局装置と移動局装置は、下りリンクのキャリア要素グループＤＣＣＧ−０を、ＤＣＣ−０およびＤＣＣ−３から構成し、ＤＣＣＧ−０とＵＣＣ−０、ＤＣＣ−１とＵＣＣ−１、ＤＣＣ−２とＵＣＣ−２を相互に対応させて通信を行なってもよい。
【０１９４】
図１３は、第３の実施形態を適用可能な移動通信システムの別の例を示している。図１３に示す移動通信システムでは、ＤＬシステム帯域が７０ＭＨｚの帯域幅を持った周波数帯域を示し、ＵＬシステム帯域が８０ＭＨｚの帯域幅を持った周波数帯域を示し、また、基本周波数（ＢＦ）として、２０ＭＨｚの帯域幅を持った周波数帯域が示されている。図１３に示す移動通信システムは、ＵＬシステム帯域の帯域幅がＤＬシステム帯域の帯域幅よりも大きい（広い帯域幅を持った）移動通信システムであり、ＤＬシステム帯域およびＵＬシステム帯域を、それぞれ基本周波数（ＢＦ）で分割すると、ＤＬシステム帯域に余りが生じてしまい（ＤＬシステム帯域を基本周波数２０ＭＨｚで分割しきれずに）、基本周波数（ＢＦ）に満たない下りリンクのキャリア要素が含まれる移動通信システムである。
【０１９５】
図１２において、基地局装置と移動局装置は、７０ＭＨｚの帯域幅を持つＤＬシステム帯域を、２０ＭＨｚの帯域幅を持つ基本周波数（ＢＦ）で分割して、下りリンクのキャリア要素を構成（ＤＣＣ−０、ＤＣＣ−１、ＤＣＣ−２、ＤＣＣ−３）する。この際、基地局装置と移動局装置は、ＤＬシステム帯域を基本周波数（ＢＦ）で分割しきれなかった余りの下りリンクのキャリア要素（この例では、７０ＭＨｚを２０ＭＨｚで分割することにより得られた１０ＭＨｚの帯域幅を持つ下りリンクのキャリア要素）を、他の下りリンクのキャリア要素（この例では、７０ＭＨｚを２０ＭＨｚで分割することにより得られた２０ＭＨｚの帯域幅を持つ３つの下りリンクのキャリア要素）よりも前に（先に）インデックスする。
【０１９６】
すなわち、図１３に示すように、基地局装置と移動局装置は、ＤＬシステム帯域を基本周波数（ＢＦ）で分割することにより得られた１０ＭＨｚの帯域幅を持つ下りリンクのキャリア要素を、他の下りリンクのキャリア要素よりに前に（先に）ＤＣＣ−０とインデックスし、続いて、２０ＭＨｚの帯域幅を持つ３つの下りリンクのキャリア要素を周波数が増加する方向に、ＤＣＣ−１、ＤＣＣ−２、ＤＣＣ−３とインデックスする。
【０１９７】
また、基地局装置と移動局装置は、８０ＭＨｚの帯域幅を持つＵＬシステム帯域を、２０ＭＨｚの帯域幅を持つ基本周波数（ＢＦ）で分割して、上りリンクのキャリア要素を構成し、図１２に示すように、周波数が増加する方向にインデックス（ＵＣＣ−０、ＵＣＣ−１、ＵＣＣ−２、ＵＣＣ−３）する。
【０１９８】
ここで、図１３に示す移動通信システムは、下りリンクのキャリア要素の数（ＤＣＣＮ）が４つであり、上りリンクキャリア要素の数（ＵＣＣＮ）の数が４つであり、下りリンクのキャリア要素の数と上りリンクのキャリア要素の数が同じ（等しい）数を持つ移動通信システムである。
【０１９９】
ＤＬシステム帯域およびＵＬシステム帯域を基本周波数（ＢＦ）で分割することによって、下りリンクのキャリア要素および上りリンクのキャリア要素を構成し、それらを上記のようにインデックスした基地局装置と移動局装置は、図１３に示すように、下りリンクのキャリア要素および上りリンクのキャリア要素を、相互に対応させて通信を行なう。
【０２００】
図１４は、第３の実施形態を適用可能な移動通信システムの別の例を示している。図１４に示す移動通信システムでは、ＤＬシステム帯域が５０ＭＨｚの帯域幅を持った周波数帯域を示し、ＵＬシステム帯域が８０ＭＨｚの帯域幅を持った周波数帯域を示し、また、基本周波数（ＢＦ）として、２０ＭＨｚの帯域幅を持った周波数帯域が示されている。図１４に示す移動通信システムは、ＵＬシステム帯域の帯域幅がＤＬシステム帯域の帯域幅よりも大きい（広い帯域幅を持った）移動通信システムであり、また、ＤＬシステム帯域およびＵＬシステム帯域を、それぞれ基本周波数（ＢＦ）で分割すると、ＤＬシステム帯域に余りが生じてしまい（ＤＬシステム帯域を基本周波数２０ＭＨｚで分割しきれずに）、基本周波数（ＢＦ）に満たない下りリンクのキャリア要素が含まれる移動通信システムである。
【０２０１】
図１４において、基地局装置と移動局装置は、５０ＭＨｚの帯域幅を持つＤＬシステム帯域を、２０ＭＨｚの帯域幅を持つ基本周波数（ＢＦ）で分割して、下りリンクのキャリア要素（ＤＣＣ−０、ＤＣＣ−１、ＤＣＣ−２）を構成する。この際、基地局装置と移動局装置は、ＤＬシステム帯域を基本周波数（ＢＦ）で分割しきれなかった余りの下りリンクのキャリア要素（この例では、５０ＭＨｚを２０ＭＨｚで分割することにより得られた１０ＭＨｚの帯域幅を持つ下りリンクのキャリア要素）を、他の下りリンクのキャリア要素（この例では、５０ＭＨｚを２０ＭＨｚで分割することにより得られた２０ＭＨｚの帯域幅を持つ２つの上りリンクのキャリア要素）よりも前に（先に）インデックスする。
【０２０２】
すなわち、図１４に示すように、基地局装置と移動局装置は、ＤＬシステム帯域を基本周波数（ＢＦ）で分割することにより得られた１０ＭＨｚの帯域幅を持つ下りリンクのキャリア要素を、他の下りリンクのキャリア要素よりに先にＤＣＣ−０とインデックスし、続いて、２０ＭＨｚの帯域幅を持つ２つの下りリンクのキャリア要素を周波数が増加する方向に、ＤＣＣ−１、ＤＣＣ−２とインデックスする。
【０２０３】
また、基地局装置と移動局装置は、８０ＭＨｚの帯域幅を持つＵＬシステム帯域を、２０ＭＨｚの帯域幅を持つ基本周波数（ＢＦ）で分割して、上りリンクのキャリア要素を構成し、図１４に示すように、周波数が増加する方向にインデックス（ＵＣＣ−０、ＵＣＣ−１、ＵＣＣ−２、ＵＣＣ−３）する。
【０２０４】
ここで、図１４に示す移動通信システムは、下りリンクのキャリア要素の数（ＤＣＣＮ）が３つであり、上りリンクのキャリア要素の数（ＵＣＣＮ）が４つであり、上りリンクのキャリア要素の数が下りリンクのキャリア要素の数よりも大きい（多い）移動通信システムである。
【０２０５】
図１４において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、その比から、上りリンクの１つのキャリア要素グループに含まれるキャリア要素の数（ＵＣＣＮｉｎＵＣＣＧ）“１（４／３＝１．３、小数点以下切り捨て）”を算出し、算出した値に基づいて、周波数が低い方から高い方に順番に（周波数が増加する方向に、インデックスが増加する方向に）、上りリンクのキャリア要素を連結（結合）し、上りリンクのキャリア要素グループを構成して、下りリンクのキャリア要素と対応させていく。また、分割しきれずに余った上りリンクのキャリア要素は、周波数が低い側に隣接する上りリンクのキャリア要素、もしくは、周波数が低い側に隣接する上りリンクのキャリア要素を含んだキャリア要素グループと連結（結合）されて、１つのキャリア要素グループとして纏められる。
【０２０６】
すなわち、基地局装置と移動局装置は、下りリンクのキャリア要素と上りリンクのキャリア要素および上りリンクのキャリア要素グループを、図１４に示すように対応させ（ＤＣＣ−０とＵＣＣ−０、ＤＣＣ−１とＵＣＣ−１、ＤＣＣ−２とＵＣＣＧ−０を対応させ）、通信を行なうことができる。
【０２０７】
また、図１４において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、構成した下りリンクのキャリア要素と上りリンクのキャリア要素を、下りリンクのキャリア要素ごとに互い違いに対応させて通信を行なっても良い。すなわち図１４において、基地局装置と移動局装置は、上りリンクのキャリア要素グループＵＣＣＧ−０を、ＵＣＣ−０およびＵＣＣ−３から構成し、ＤＣＣ−０とＵＣＣＧ−０、ＤＣＣ−１とＵＣＣ−１、ＤＣＣ−２とＵＣＣ−２を相互に対応させて通信を行なってもよい。
【０２０８】
図１５は、第３の実施形態を適用可能な移動通信システムの別の例を示している。図１５に示す移動通信システムでは、ＤＬシステム帯域が７０ＭＨｚの帯域幅を持った周波数帯域を示し、ＵＬシステム帯域が６０ＭＨｚの帯域幅を持った周波数帯域を示し、また、基本周波数（ＢＦ）として、２０ＭＨｚの帯域幅を持った周波数帯域が示されている。図１５に示す移動通信システムは、ＤＬシステム帯域の帯域幅がＵＬシステム帯域の帯域幅よりも大きい（広い帯域幅を持った）移動通信システムであり、また、ＤＬシステム帯域およびＵＬシステム帯域を、それぞれ基本周波数（ＢＦ）で分割すると、ＤＬシステム帯域に余りが生じてしまい（ＤＬシステム帯域を基本周波数２０ＭＨｚで分割しきれずに）、基本周波数（ＢＦ）に満たない下りリンクのキャリア要素が含まれる移動通信システムである。
【０２０９】
図１４において、基地局装置と移動局装置は、７０ＭＨｚの帯域幅を持つＤＬシステム帯域を、２０ＭＨｚの帯域幅を持つ基本周波数（ＢＦ）で分割して、下りリンクのキャリア要素（ＤＣＣ−０、ＤＣＣ−１、ＤＣＣ−２、ＤＣＣ−３）を構成する。この際、基地局装置と移動局装置は、ＤＬシステム帯域を基本周波数（ＢＦ）で分割しきれなかった余りの下りリンクのキャリア要素（この例では、７０ＭＨｚを２０ＭＨｚで分割することにより得られた１０ＭＨｚの帯域幅を持つ下りリンクのキャリア要素）を、他の下りリンクのキャリア要素（この例では、７０ＭＨｚを２０ＭＨｚで分割することにより得られた２０ＭＨｚの帯域幅を持つ３つの下りリンクのキャリア要素）よりも後に（後ろに）インデックスする。
【０２１０】
すなわち、図１５に示すように、基地局装置と移動局装置は、ＵＬシステム帯域を基本周波数（ＢＦ）で分割することにより得られた２０ＭＨｚの帯域幅を持つ３つの下りリンクのキャリア要素を、周波数が増加する方向にＤＣＣ−０、ＤＣＣ−１、ＤＣＣ−２とインデックスし、続いて、１０ＭＨｚの帯域幅を持つ下りリンクのキャリア要素をＤＣＣ−３とインデックスする。
【０２１１】
また、基地局装置と移動局装置は、６０ＭＨｚの帯域幅を持つＵＬシステム帯域を、２０ＭＨｚの帯域幅を持つ基本周波数（ＢＦ）で分割して、上りリンクのキャリア要素を構成し、図１４に示すように、周波数が増加する方向にインデックス（ＵＣＣ−０、ＵＣＣ−１、ＵＣＣ−２）する。
【０２１２】
ここで、図１５に示す移動通信システムは、下りリンクのキャリア要素の数（ＤＣＣＮ）が４つであり、上りリンクのキャリア要素の数（ＵＣＣＮ）が３つであり、下りリンクのキャリア要素の数が上りリンクのキャリア要素の数よりも大きい（多い）移動通信システムである。
【０２１３】
図１５において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、その比から、下りリンクの１つのキャリア要素グループに含まれるキャリア要素の数（ＤＣＣＮｉｎＤＣＣＧ）“１（４／３＝１．３、小数点以下切り捨て）”を算出し、算出した値に基づいて、周波数が低い方から高い方に順番に（周波数が増加する方向に、インデックスが増加する方向に）、下りリンクのキャリア要素を、上りリンクのキャリア要素と対応させていく。また、分割しきれずに余った下りリンクのキャリア要素は、周波数が低い側に隣接する下りリンクのキャリア要素、もしくは、周波数が低い側に隣接する下りリンクのキャリア要素を含んだキャリア要素グループと連結（結合）されて、１つのキャリア要素グループとして纏められる。
【０２１４】
すなわち、基地局装置と移動局装置は、下りリンクのキャリア要素および下りリンクのキャリア要素グループと上りリンクのキャリア要素を、図１５に示すように対応させ（ＤＣＣ−０とＵＣＣ−０、ＤＣＣ−１とＵＣＣ−１、ＤＣＣＧ−０とＵＣＣ−２を対応させ）、通信を行なうことができる。
【０２１５】
また、図１５において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、構成した下りリンクのキャリア要素と上りリンクのキャリア要素を、上りリンクのキャリア要素ごとに互い違いに対応させて通信を行なっても良い。すなわち図１５において、基地局装置と移動局装置は、下りリンクのキャリア要素グループＤＣＣＧ−０を、ＤＣＣ−０およびＤＣＣ−３から構成し、ＤＣＣＧ−０とＵＣＣ−０、ＤＣＣ−１とＵＣＣ−１、ＤＣＣ−２とＵＣＣ−２を相互に対応させて通信を行なってもよい。
【０２１６】
図１６は、第３の実施形態を適用可能な移動通信システムの別の例を示している。図１６に示す移動通信システムでは、ＤＬシステム帯域が６０ＭＨｚの帯域幅を持った周波数帯域を示し、ＵＬシステム帯域が７０ＭＨｚの帯域幅を持った周波数帯域を示し、また、基本周波数（ＢＦ）として、２０ＭＨｚの帯域幅を持った周波数帯域が示されている。図１６に示す移動通信システムは、ＵＬシステム帯域の帯域幅がＤＬシステム帯域の帯域幅よりも大きい（広い帯域幅を持った）移動通信システムであり、また、ＤＬシステム帯域およびＵＬシステム帯域を、それぞれ基本周波数（ＢＦ）で分割すると、ＵＬシステム帯域に余りが生じてしまい（ＵＬシステム帯域を基本周波数２０ＭＨｚで分割しきれずに）、基本周波数（ＢＦ）に満たない上りリンクのキャリア要素が含まれる移動通信システムである。
【０２１７】
図１６において、基地局装置と移動局装置は、６０ＭＨｚの帯域幅を持つＤＬシステム帯域を、２０ＭＨｚの帯域幅を持つ基本周波数（ＢＦ）で分割して、上りリンクのキャリア要素を構成し、図１５に示すように、周波数が増加する方向にインデックス（ＤＣＣ−０、ＤＣＣ−１、ＤＣＣ−２）する。
【０２１８】
また、基地局装置と移動局装置は、７０ＭＨｚの帯域幅を持つＵＬシステム帯域を、２０ＭＨｚの帯域幅を持つ基本周波数（ＢＦ）で分割して、上りリンクのキャリア要素（ＵＣＣ−０、ＵＣＣ−１、ＵＣＣ−２、ＵＣＣ−３）を構成する。この際、基地局装置と移動局装置は、ＵＬシステム帯域を基本周波数（ＢＦ）で分割しきれなかった余りの上りリンクのキャリア要素（この例では、７０ＭＨｚを２０ＭＨｚで分割することにより得られた１０ＭＨｚの帯域幅を持つ上りリンクのキャリア要素）を、他の上りリンクのキャリア要素（この例では、７０ＭＨｚを２０ＭＨｚで分割することにより得られた２０ＭＨｚの帯域幅を持つ３つの下りリンクのキャリア要素）よりも後に（後ろに）インデックスする。
【０２１９】
すなわち、図１６に示すように、基地局装置と移動局装置は、ＵＬシステム帯域を基本周波数（ＢＦ）で分割することにより得られた２０ＭＨｚの帯域幅を持つ３つの上りリンクのキャリア要素を、周波数が増加する方向にＵＣＣ−０、ＵＣＣ−１、ＵＣＣ−２とインデックスし、続いて、１０ＭＨｚの帯域幅を持つ上りリンクのキャリア要素をＵＣＣ−３とインデックスする。
【０２２０】
ここで、図１６に示す移動通信システムは、下りリンクのキャリア要素の数（ＤＣＣＮ）が３つであり、上りリンクのキャリア要素の数（ＵＣＣＮ）が４つであり、上りリンクのキャリア要素の数が下りリンクのキャリア要素の数よりも大きい（多い）移動通信システムである。
【０２２１】
図１６において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、その比から、上りリンクの１つのキャリア要素グループに含まれるキャリア要素の数（ＵＣＣＮｉｎＵＣＣＧ）“１（４／３＝１．３、小数点以下切り捨て）”を算出し、算出した値に基づいて、周波数が低い方から高い方に順番に（周波数が増加する方向に、インデックスが増加する方向に）、上りリンクのキャリア要素を、下りリンクのキャリア要素と対応させていく。また、分割しきれずに余った上りリンクのキャリア要素は、周波数が低い側に隣接する上りリンクのキャリア要素、もしくは、周波数が低い側に隣接する上りリンクのキャリア要素を含んだキャリア要素グループと連結（結合）されて、１つのキャリア要素グループとして纏められる。
【０２２２】
すなわち、基地局装置と移動局装置は、下りリンクのキャリア要素と上りリンクのキャリア要素および上りリンクのキャリア要素グループを、図１６に示すように対応させ（ＤＣＣ−０とＵＣＣ−０、ＤＣＣ−１とＵＣＣ−１、ＤＣＣ−２とＵＣＣＧ−０を対応させ）、通信を行なうことができる。
【０２２３】
また、図１６において、ＤＬシステム帯域およびＵＬシステム帯域を基本周波数（ＢＦ）で分割することにより、下りリンクのキャリア要素の数および上りリンクのキャリア要素の数を得た（算出した）基地局装置と移動局装置は、構成した下りリンクのキャリア要素と上りリンクのキャリア要素を、下りリンクのキャリア要素ごとに互い違いに対応させて通信を行なっても良い。すなわち図１６において、基地局装置と移動局装置は、上りリンクのキャリア要素グループＵＣＣＧ−０を、ＵＣＣ−０およびＵＣＣ−３から構成し、ＤＣＣ−０とＵＣＣＧ−０、ＤＣＣ−１とＵＣＣ−１、ＤＣＣ−２とＵＣＣ−２を相互に対応させて通信を行なってもよい。
【０２２４】
ここで、図１６で示す移動通信システムおいて、基地局装置と移動局装置が通信を行なう際に、上りリンクのキャリア要素グループ（ＵＣＣＧ−０）に含まれる基本周波数に満たない上りリンクのキャリア要素（ここでは、ＵＣＣ−３）を使用して送信できる上りリンクの情報と、基本周波数に満たない上りリンクのキャリア要素（ＵＣＣ−４）に配置された上りリンクのチャネルを使用できる移動局装置について、図１７を使用して説明する。
【０２２５】
図１７は、図１６と同様の移動通信システムを示す図である。上記で記載した通り、図１７に示す移動通信システムでは、基地局装置と移動局装置は、ＤＬシステム帯域およびＵＬシステム帯域から、下りリンクのキャリア要素および上りリンクのキャリア要素グループを構成し、それらを相互に対応させて通信を行なう。この際、基地局装置と移動局装置は、上りリンクのキャリア要素グループ（ＵＣＣＧ−０）に含まれる基本周波数（ＢＦ）に満たない上りリンクのキャリア要素（ＵＣＣ−３）で送信できる上りリンクの情報を制限して、通信を行なうことができる。図１７には、基地局装置と移動局装置が、上りリンクの情報を送信する際に使用するＰＵＳＣＨ（左上がりの斜線で示される）およびＰＵＳＣＨ（右上がりの斜線で示される）を示している。図１７では、ＵＣＣＧ−０をＵＣＣ−２およびＵＣＣ−３から構成しているように記載しているが、上述したようにＵＣＣＧ−０は、ＵＣＣ−０およびＵＣＣ−３から構成されていても良い。下記の説明では、例として、ＵＣＣＧ−０をＵＣＣ−２およびＵＣＣ−３から構成している際の動作を記載するが、ＵＣＣＧ−０をＵＣＣ−０およびＵＣＣ−３から構成した場合、ＵＣＣ−２はＵＣＣ−０に、ＵＣＣ−２に対応するＤＣＣ−２はＵＣＣ−０に対応するＤＣＣ−０に、置き換えられる。
【０２２６】
基地局装置と移動局装置は、図１７の点線で示されるように、上りリンクのキャリア要素グループ（ＵＣＣＧ−０）に含まれる基本周波数（ＢＦ）に満たない上りリンクのキャリア要素（ＵＣＣ−３）に配置された上りリンクのチャネル（例えば、ＰＵＳＣＨ、ＰＵＣＣＨ、ＰＲＡＣＨなど）で送信できる情報を制限して、通信を行なう。例えば、移動局装置は、基本周波数に満たない上りリンクのキャリア要素（ＵＣＣ−３）に配置されたＰＵＣＣＨで送信できる情報を制限し、ダイナミック（動的）にスケジューリングされたＰＤＳＣＨに対するＡＣＫ／ＮＡＣＫを送信しない。
【０２２７】
すなわち、移動局装置は、ダイナミック（動的）にスケジューリングされたＰＤＳＣＨに対するＡＣＫ／ＮＡＣＫを、送信できる情報を制限していない上りリンクのキャリア要素（ＵＣＣ−２）のＰＵＣＣＨのみで送信し、送信できる情報を制限している上りリンクのキャリア要素（ＵＣＣ−３）のＰＵＣＣＨでは、その他の情報（例えば、セミパーシステント（準持続的）にスケジューリングされたＰＤＳＣＨに対するＡＣＫ／ＮＡＣＫや、チャネル状態情報（ＣＱＩ、ＰＭＩ、ＲＩ）や、スケジューリング要求（ＳＲ）など）を送信する。
【０２２８】
これにより、図１７に示す移動通信システムにおいて、例えば、ＬＴＥ（リリース８）端末は、下りリンクのキャリア要素（ＤＣＣ−２）に対応する上りリンクのキャリア要素（ＵＣＣ−２）のＰＵＣＣＨを使用して、ダイナミック（動的）にスケジューリングされたＰＤＳＣＨに対するＡＣＫ／ＮＡＣＫや、セミパーシステント（準持続的）にスケジューリングされたＰＤＳＣＨに対するＡＣＫ／ＮＡＣＫや、チャネル状態情報（ＣＱＩ、ＰＭＩ、ＲＩ）や、スケジューリング要求（ＳＲ）などを基地局装置に送信する。
【０２２９】
一方、ＬＴＥ−Ａ（リリース１０）端末は、上りリンクのキャリア要素グループ（ＵＣＣＧ−０）に含まれる上りリンクのキャリア要素（送信できる情報が制限されていないキャリア要素、ＵＣＣ−２）のＰＵＣＣＨを使用して、ダイナミック（動的）にスケジューリングされたＰＤＳＣＨに対するＡＣＫ／ＮＡＣＫを基地局装置に送信する。この際、ＬＴＥ−Ａ（リリース１０）端末は、ＬＴＥ（リリース８）端末が、下りリンクのキャリア要素（ＤＣＣ−２）と上りリンクのキャリア要素（ＵＣＣ−２）を対応させて、ダイナミック（動的）にスケジューリングされたＰＤＳＣＨに対するＡＣＫ／ＮＡＣＫを送信する際に使用した枠組み（仕組み）と、同様の枠組み（仕組み）を用いて、ダイナミック（動的）にスケジューリングされたＰＤＳＣＨに対するＡＣＫ／ＮＡＣＫを基地局装置に送信することができる。
【０２３０】
さらに、ＬＴＥ−Ａ（リリース１０）端末は、上りリンクのキャリア要素グループ（ＵＣＣＧ−０）に含まれる基本周波数に満たない上りリンクのキャリア要素（送信できる情報を制限したキャリア要素、例えば、ＵＣＣ−３）のＰＵＣＣＨを使用して、セミパーシステント（準持続的）にスケジューリングされたＰＤＳＣＨに対するＡＣＫ／ＮＡＣＫや、チャネル状態情報（ＣＱＩ、ＰＭＩ、ＲＩ）や、スケジューリング要求（ＳＲ）などの情報を基地局装置に送信する。
【０２３１】
このように、基地局装置と移動局装置が、上りリンクのキャリア要素グループに含まれる基本周波数に満たない上りリンクのキャリア要素において、異なる用途（目的、意図）のために送信される情報を制限することによって、異なる能力を持った移動局装置が、ある用途（目的、意図）のために送信される情報を、同一のキャリア要素内（例えば、ＵＣＣ−２）で、同様の枠組み（仕組み）を用いて送信し、別の用途（目的、意図）のために送信される情報を、異なるキャリア要素間（例えば、ＵＣＣ−２、ＵＣＣ−３）で、送信することが可能となり、異なる能力を持った移動局装置を、同じ移動通信システムで、より親和性を持って共存させることが可能となる。
【０２３２】
また、図１７に示す移動通信システムにおいて、上りリンクのキャリア要素グループ（ＵＣＣＧ−０）に含まれる基本周波数に満たない上りリンクのキャリア要素（ＵＣＣ−３）に配置された上りリンクのチャネルを使用できる移動局装置が制限されても良い。
【０２３３】
すなわち、図１７の移動通信システムにおいて、基本周波数に満たない上りリンクのキャリア要素（ＵＣＣ−３）に配置された上りリンクのチャネル（例えば、ＰＵＳＣＨ、ＰＵＣＣＨ、ＰＲＡＣＨなど）を使用できる移動局装置を、例えば、ＬＴＥ−Ａ（リリース１０）端末のみに制限することができる。
【０２３４】
これにより、ＬＴＥ（リリース８）端末は、限られた下りリンクのキャリア要素と上りリンクのキャリア要素の組み合わせ（例えば、ＤＣＣ−２とＵＣＣ−２の組み合わせ）のみを使用して通信を行なうこととなり（すなわち、ＤＣＣ−２とＵＣＣ−３を対応させて通信を行なうＬＴＥ（リリース８）端末が存在しない）、ＬＴＥ−Ａ（リリース１０）端末を、ＵＣＣ−３に優先的に割り当てることが可能となり、異なる能力を持った移動局装置を、同じ移動通信システムで、より効率的に共存させることが可能となる。
【０２３５】
上記までに示したように、第３の実施形態では、基地局装置と移動局装置が、下りリンクのキャリア要素と上りリンクのキャリア要素を複合的に使用して、広帯域なシステム帯域として運用し、通信を行なう際に、ＤＬシステム帯域とＵＬシステム帯域の関係（どちらの帯域幅が広いか）や、ＤＬシステム帯域およびＵＬシステム帯域に、基本周波数（ＢＦ）に満たないキャリア要素が含まれた場合に、それらの状況に応じて、下りリンクのキャリア要素および／もしくはキャリア要素グループと上りリンクのキャリア要素および／キャリア要素グループを構成し、それらを相互に対応させて通信を行なうことにより、下りリンクのシステム帯域および上りリンクのシステム帯域から、容易に下りリンクのキャリア要素および／またはキャリア要素グループおよび上りリンクのキャリア要素および／またはキャリア要素グループを構成し、それらを利用して、効率的な通信（情報の送受信）を実現することができる。
【０２３６】
さらに、基地局装置が、下りリンクで送信される情報（例えば、下りユーザーデータ）に対応した上りリンクの情報（例えば、下りユーザーデータに対するＨＡＲＱのＡＣＫ／ＮＡＣＫ）を、上りリンクのどのキャリア要素および／またはキャリア要素グループを使用して送信するのかを指示する制御信号（制御情報）を送信する必要がなくなり、無線リソースを効率的に使用した通信（情報の送受信）を行なうことができる。
【０２３７】
（第４の実施形態）
上記までに記載したＤＬシステム帯域およびＵＬシステム帯域から、基本周波数（ＢＦ）によって、下りリンクのキャリア要素および／またはキャリア要素グループと上りリンクのキャリア要素および／またはキャリア要素グループを構成し、それらを相互に対応させて通信させる様子を算出する式は、例えば、下記のように表される。
【０２３８】
以下、下りリンクシステム帯域（ＤＬシステム帯域）を、ＤＳＢ：Downlink System Bandとし、
上りリンクシステム帯域（ＵＬシステム帯域）を、ＵＳＢ：Uplink System Bandとし、
基本周波数を、ＢＦ：Base Frequencyとし、
下りリンクのキャリア要素を、ＤＣＣ：Downlink Component Carrierとし、
上りリンクのキャリア要素を、ＵＣＣ：Uplink Component Carrierとし、
下りリンクのキャリア要素の数を、ＤＣＣＮ：Downlink Component Carrier Numberとし、
上りリンクのキャリア要素の数を、ＵＣＣＮ：Uplink Component Carrier Numberとし、
下りリンクの１つのキャリア要素グループに含まれる下りリンクのキャリア要素の数を、ＤＣＣＮinＤＣＣＧ：Downlink Component Carrier Number in Downlink Component Carrier Groupとし、
上りリンクの１つのキャリア要素グループに含まれる上りリンクのキャリア要素の数を、ＵＣＣＮinＵＣＣＧ：Uplink Component Carrier Number in Uplink Component Carrier Groupとし、
「i」を、下りリンクのキャリア要素のインデックス（以下の式では、iは“０”からインデックスされる）とし、
「j」を、上りリンクのキャリア要素のインデックス（以下の式では、jは“０”からインデックスされる）とする。
【０２３９】
上記で記載した通り、基地局装置と移動局装置は、ＤＬシステム帯域を基本周波数（ＢＦ）で分割して、複数の下りリンクのキャリア要素を構成し、ＵＬシステム帯域を基本周波数（ＢＦ）で分割して、複数の上りリンクのキャリア要素を構成し、この際、下りリンクのキャリア要素の数と上りリンクのキャリア要素の数が同じ（等しい）場合、下りリンクのキャリア要素と上りリンクのキャリア要素を、相互に対応させて通信を行なう。
【０２４０】
すなわち、下記の式、
Ｉｆ  ＤＣＣＮ＝ＵＣＣＮ
ＤＣＣ（i）＝ＵＣＣ（ｊ）
で表される。
【０２４１】
また、この際、ＤＬシステム帯域およびＵＬシステム帯域に、基本周波数（ＢＦ）に満たない下りリンクのキャリア要素および上りリンクのキャリア要素が含まれる場合、基本周波数（ＢＦ）に満たないそれらのキャリア要素は、他のキャリア要素よりも前に（先に）インデックスされる。
【０２４２】
また、基地局装置と移動局装置は、ＤＬシステム帯域を基本周波数（ＢＦ）で分割して、下りリンクのキャリア要素を構成し、ＵＬシステム帯域を基本周波数（ＢＦ）で分割して、上りリンクのキャリア要素を構成し、この際、下りリンクのキャリア要素の数が上りリンクのキャリア要素の数よりも大きい場合、下りリンクのキャリア要素の数と上りリンクのキャリア要素の数の比から、下りリンクの１つのキャリア要素グループに含まれる下りリンクのキャリア要素の数を算出し、下りリンクのキャリア要素グループと上りリンクのキャリア要素を、相互に対応させて通信を行なう。
【０２４３】
すなわち、下記の式、
【数１】
2010109488.tif 000003
で表される。ここで、
【数２】
2010109488.tif 000004
は、小数点以下切り捨てを示している。
【０２４４】
この際の様子を算出する式は、若しくは、下記の式で表されても良い。
【数３】
2010109488.tif 000005
また、この際、ＤＬシステム帯域に、基本周波数（ＢＦ）に満たない下りリンクのキャリア要素が含まれる場合、基本周波数に満たない下りリンクのキャリア要素は、他の下りリンクのキャリア要素よりも後に（後ろに）インデックスされる。また、ＵＬシステム帯域に、基本周波数（ＢＦ）に満たない上りリンクのキャリア要素が含まれる場合、基本周波数に満たない上りリンクのキャリア要素は、他の上りリンクのキャリア要素よりも前に（先に）インデックスされる。
【０２４５】
また、基地局装置と移動局装置は、ＤＬシステム帯域を基本周波数（ＢＦ）で分割して、下りリンクのキャリア要素を構成し、ＵＬシステム帯域を基本周波数（ＢＦ）で分割して、上りリンクのキャリア要素を構成し、この際、上りリンクのキャリア要素の数が下りリンクのキャリア要素の数よりも大きい場合、上りリンクのキャリア要素の数と下りリンクのキャリア要素の数の比から、上りリンクの１つのキャリア要素グループに含まれる上りリンクのキャリア要素の数を算出し、上りリンクのキャリア要素グループと下りリンクのキャリア要素を、相互に対応させて通信を行なう。
【０２４６】
すなわち、
【数４】
2010109488.tif 000006
で表される。ここで、
【数５】
2010109488.tif 000007
は、小数点以下切り捨てを示している。
【０２４７】
この際の様子を算出する式は、若しくは、下記の式で表されても良い。
【数６】
2010109488.tif 000008
また、この際、ＤＬシステム帯域に、基本周波数（ＢＦ）に満たない下りリンクのキャリア要素が含まれる場合、基本周波数に満たない下りリンクのキャリア要素は、他の下りリンクのキャリア要素よりも前に（先に）インデックスされる。また、ＵＬシステム帯域に、基本周波数（ＢＦ）に満たない上りリンクのキャリア要素が含まれる場合、基本周波数に満たない上りリンクのキャリア要素は、他の上りリンクのキャリア要素よりも後に（後ろに）インデックスされる。
【０２４８】
上記までに示したように、第４の実施形態では、基地局装置と移動局装置が、下りリンクのキャリア要素と上りリンクのキャリア要素を複合的に使用して、広帯域なシステム帯域として運用し、通信を行なう際に、ＤＬシステム帯域とＵＬシステム帯域の関係（どちらの帯域幅が広いか）や、ＤＬシステム帯域およびＵＬシステム帯域に、基本周波数（ＢＦ）に満たないキャリア要素が含まれた場合に、それらの状況に応じて、下りリンクのキャリア要素および／もしくはキャリア要素グループと上りリンクのキャリア要素および／キャリア要素グループを構成し、それらを相互に対応させて通信を行なうことにより、下りリンクのシステム帯域および上りリンクのシステム帯域から、容易に下りリンクのキャリア要素および／またはキャリア要素グループおよび上りリンクのキャリア要素および／またはキャリア要素グループを構成し、それらを利用して、効率的な通信（情報の送受信）を実現することができる。
【０２４９】
さらに、基地局装置が、下りリンクで送信される情報（例えば、下りユーザーデータ）に対応した上りリンクの情報（例えば、下りユーザーデータに対するＨＡＲＱのＡＣＫ／ＮＡＣＫ）を、上りリンクのどのキャリア要素および／またはキャリア要素グループを使用して送信するのかを指示する制御信号（制御情報）を送信する必要がなくなり、無線リソースを効率的に使用した通信（情報の送受信）を行なうことができる。
【０２５０】
以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０２５１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０２５２】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【０２５３】
【図１】本発明の実施形態における物理チャネルの一構成例を概念的に示す図である。
【図２】本発明の実施形態に係る基地局装置１００の概略構成を示すブロック図である。
【図３】本発明の実施形態に係る移動局装置２００の概略構成を示すブロック図である。
【図４】第１の実施形態を説明するための下りリンクの周波数帯域および上りリンクの周波数帯域を示している。
【図５】第１の実施形態を適用可能な移動通信システムの例を示す図である。
【図６】第２の実施形態を適用可能な移動通信システムの例を示す図である。
【図７】第２の実施形態を適用可能な移動通信システムの別の例を示す図である。
【図８】第２の実施形態を適用可能な移動通信システムの別の例を示す図である。
【図９】図８と同様の移動通信システムを示す図である。
【図１０】第３の実施形態を適用可能な移動通信システムの例を示す図である。
【図１１】第３の実施形態を適用可能な移動通信システムの別の例を示している。
【図１２】第３の実施形態を適用可能な移動通信システムの別の例を示している。
【図１３】第３の実施形態を適用可能な移動通信システムの別の例を示している。
【図１４】第３の実施形態を適用可能な移動通信システムの別の例を示している。
【図１５】第３の実施形態を適用可能な移動通信システムの別の例を示している。
【図１６】第３の実施形態を適用可能な移動通信システムの別の例を示している。
【図１７】図１６と同様の移動通信システムを示す図である。
【符号の説明】
【０２５４】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2010109488.tif 000009
【図２】
2010109488.tif 000010
【図３】
2010109488.tif 000011
【図４】
2010109488.tif 000012
【図５】
2010109488.tif 000013
【図６】
2010109488.tif 000014
【図７】
2010109488.tif 000015
【図８】
2010109488.tif 000016
【図９】
2010109488.tif 000017
【図１０】
2010109488.tif 000018
【図１１】
2010109488.tif 000019
【図１２】
2010109488.tif 000020
【図１３】
2010109488.tif 000021
【図１４】
2010109488.tif 000022
【図１５】
2010109488.tif 000023
【図１６】
2010109488.tif 000024
【図１７】
2010109488.tif 000025